(57)【要約】【課題】基地局装置が、移動局装置に対して、チャネルフィードバックレポートおよび／またはパーシステントスケジューリングを効率的な信号を使用して要求する。【解決手段】基地局装置は、第２の移動局識別子を設定した場合、第１の移動局識別子に応じた物理下りリンク制御チャネルの検索領域に、第２の移動局識別子に関する物理下りリンク制御チャネルを配置し、移動局装置は、基地局装置から第１の移動局識別子が設定された場合、第１の移動局識別子に応じた物理下りリンク制御チャネルの検索領域において、第１の移動局識別子に関する物理下りリンク制御チャネルのデコード処理を行ない、基地局装置から第２の移動局識別子が設定された場合、第１の移動局識別子に応じた物理下りリンク制御チャネルの検索領域において、第２の移動局識別子に関する物理下りリンク制御チャネルのデコード処理を行なう。【選択図】図６
2010288292.tif 000002
【特許請求の範囲】
【請求項１】
基地局装置から設定された移動局識別子に基づいて、移動局装置が検索すべき物理下りリンク制御チャネルの領域が定められる移動通信システムであって、
前記基地局装置は、
前記移動局装置に対して第１の移動局識別子または前記第２の移動局識別子を設定し、前記第２の移動局識別子を設定した場合、前記第１の移動局識別子に応じた物理下りリンク制御チャネルの検索領域に、前記第２の移動局識別子に関する物理下りリンク制御チャネルを配置し、
前記移動局装置は、
前記基地局装置から前記第１の移動局識別子が設定された場合、前記第１の移動局識別子に応じた物理下りリンク制御チャネルの検索領域において、前記第１の移動局識別子に関する物理下りリンク制御チャネルのデコード処理を行ない、
前記基地局装置から前記第２の移動局識別子が設定された場合、前記第１の移動局識別子に応じた物理下りリンク制御チャネルの検索領域において、前記第２の移動局識別子に関する物理下りリンク制御チャネルのデコード処理を行なうことを特徴とする移動通信システム。
【請求項２】
前記第２の移動局識別子は、前記第１の移動局識別子とは異なる目的において設定されることを特徴とする請求項１に記載の移動通信システム。
【請求項３】
前記第１の移動局識別子は、Ｃ−ＲＮＴＩであり、前記第２の移動局識別子は、パーシステントスケジューリング用Ｃ−ＲＮＴＩであることを特徴とする請求項２に記載の移動通信システム。
【請求項４】
基地局装置から設定された移動局識別子に基づいて、移動局装置が検索すべき物理下りリンク制御チャネルの領域が定められる移動通信システムにおける処理方法であって、
前記基地局装置は、
前記移動局装置に対して第１の移動局識別子または前記第２の移動局識別子を設定し、前記第２の移動局識別子を設定した場合、前記第１の移動局識別子に応じた物理下りリンク制御チャネルの検索領域に、前記第２の移動局識別子に関する物理下りリンク制御チャネルを配置し、
前記移動局装置は、
前記基地局装置から前記第１の移動局識別子が設定された場合、前記第１の移動局識別子に応じた物理下りリンク制御チャネルの検索領域において、前記第１の移動局識別子に関する物理下りリンク制御チャネルのデコード処理を行ない、
前記基地局装置から前記第２の移動局識別子が設定された場合、前記第１の移動局識別子に応じた物理下りリンク制御チャネルの検索領域において、前記第２の移動局識別子に関する物理下りリンク制御チャネルのデコード処理を行なうことを特徴とする処理方法。
【請求項５】
前記第２の移動局識別子は、前記第１の移動局識別子とは異なる目的において設定されることを特徴とする請求項４に記載の処理方法。
【請求項６】
前記第１の移動局識別子は、Ｃ−ＲＮＴＩであり、前記第２の移動局識別子は、パーシステントスケジューリング用Ｃ−ＲＮＴＩであることを特徴とする請求項５に記載の処理方法。
【請求項７】
基地局装置から設定された移動局識別子に基づいて、移動局装置が検索すべき物理下りリンク制御チャネルの領域が定められる移動通信システムにおける移動局装置であって、
前記基地局装置から第１の移動局識別子が設定された場合、前記第１の移動局識別子に応じた物理下りリンク制御チャネルの検索領域において、前記第１の移動局識別子に関する物理下りリンク制御チャネルのデコード処理を行ない、
前記基地局装置から第２の移動局識別子が設定された場合、前記第１の移動局識別子に応じた物理下りリンク制御チャネルの検索領域において、前記第２の移動局識別子に関する物理下りリンク制御チャネルのデコード処理を行なうことを特徴とする移動局装置。
【請求項８】
前記第２の移動局識別子は、前記第１の移動局識別子とは異なる目的において設定されることを特徴とする請求項７に記載の移動局装置。
【請求項９】
前記第１の移動局識別子は、Ｃ−ＲＮＴＩであり、前記第２の移動局識別子は、パーシステントスケジューリング用Ｃ−ＲＮＴＩであることを特徴とする請求項８に記載の移動局装置。
【請求項１０】
基地局装置から設定された移動局識別子に基づいて、移動局装置が検索すべき物理下りリンク制御チャネルの領域が定められる移動通信システムにおける移動局装置の処理方法であって、
前記基地局装置から第１の移動局識別子が設定された場合、前記第１の移動局識別子に応じた物理下りリンク制御チャネルの検索領域において、前記第１の移動局識別子に関する物理下りリンク制御チャネルのデコード処理を行ない、
前記基地局装置から第２の移動局識別子が設定された場合、前記第１の移動局識別子に応じた物理下りリンク制御チャネルの検索領域において、前記第２の移動局識別子に関する物理下りリンク制御チャネルのデコード処理を行なうことを特徴とする処理方法。
【請求項１１】
前記第２の移動局識別子は、前記第１の移動局識別子とは異なる目的において設定されることを特徴とする請求項１０に記載の処理方法。
【請求項１２】
前記第１の移動局識別子は、Ｃ−ＲＮＴＩであり、前記第２の移動局識別子は、パーシステントスケジューリング用Ｃ−ＲＮＴＩであることを特徴とする請求項１１に記載の処理方法。
【請求項１３】
請求項１０から請求項１２のいずれかに記載の処理方法を実行することを特徴とする移動局装置。
【請求項１４】
請求項１０から請求項１２のいずれかに記載の処理方法を１つ以上のブロックによって実行することを特徴とする移動局装置。
【請求項１５】
基地局装置から設定された移動局識別子に基づいて、移動局装置が検索すべき物理下りリンク制御チャネルの領域が定められる移動通信システムにおける基地局装置であって、
前記移動局装置に対して第１の移動局識別子または前記第２の移動局識別子を設定し、前記第２の移動局識別子を設定した場合、前記第１の移動局識別子に応じた物理下りリンク制御チャネルの検索領域に、前記第２の移動局識別子に関する物理下りリンク制御チャネルを配置することを特徴とする基地局装置。
【請求項１６】
前記第２の移動局識別子は、前記第１の移動局識別子とは異なる目的において設定されることを特徴とする請求項１５に記載の基地局装置。
【請求項１７】
前記第１の移動局識別子は、Ｃ−ＲＮＴＩであり、前記第２の移動局識別子は、パーシステントスケジューリング用Ｃ−ＲＮＴＩであることを特徴とする請求項１６に記載の基地局装置。
【請求項１８】
基地局装置から設定された移動局識別子に基づいて、移動局装置が検索すべき物理下りリンク制御チャネルの領域が定められる移動通信システムにおける基地局装置の処理方法であって、
前記移動局装置に対して第１の移動局識別子または前記第２の移動局識別子を設定し、前記第２の移動局識別子を設定した場合、前記第１の移動局識別子に応じた物理下りリンク制御チャネルの検索領域に、前記第２の移動局識別子に関する物理下りリンク制御チャネルを配置することを特徴とする処理方法。
【請求項１９】
前記第２の移動局識別子は、前記第１の移動局識別子とは異なる目的において設定されることを特徴とする請求項１８に記載の処理方法。
【請求項２０】
前記第１の移動局識別子は、Ｃ−ＲＮＴＩであり、前記第２の移動局識別子は、パーシステントスケジューリング用Ｃ−ＲＮＴＩであることを特徴とする請求項１９に記載の処理方法。
【請求項２１】
請求項１８から請求項２０のいずれかに記載の処理方法を実行することを特徴とする基地局装置。
【請求項２２】
請求項１８から請求項２０のいずれかに記載の処理方法を１つ以上のブロックによって実行することを特徴とする基地局装置。
【発明の詳細な説明】
【技術分野】
【０００１】
本発明は、移動通信システム、処理方法、移動局装置および基地局装置の物理下りリンク制御チャネルのデコード処理に関する。
【背景技術】
【０００２】
３ＧＰＰ（3rd Generation Partnership Project）は、Ｗ−ＣＤＭＡ（Wideband-Code Division Multiple Access）とＧＳＭ（Global System for Mobile Communications）を発展させたネットワークを基本した携帯電話システムの仕様の検討・作成を行なうプロジェクトである。３ＧＰＰではＷ−ＣＤＭＡ方式が第３世代セルラー移動通信方式として標準化され、順次サービスが開始されている。また、通信速度をさらに上げたＨＳＤＰＡ（High-Speed Downlink Packet Access）も標準化され、サービスが開始されている。３ＧＰＰでは、第３世代無線アクセス技術の進化（Evolved Universal Terrestrial Radio Access：以下、「ＥＵＴＲＡ」と呼称する。）が検討されている。
【０００３】
ＥＵＴＲＡにおける下りリンク通信方式として、互いに直交するサブキャリアを用いてユーザ多重化を行なうＯＦＤＭＡ（Orthogonal Frequency Division Multiple Access）方式が提案されている。また、ＯＦＤＭＡ方式において、チャネル符号化等の適応無線リンク制御（リンクアダプテーション：Link Adaptation）に基づく適応変復調・誤り訂正方式（ＡＭＣＳ：Adaptive Modulation and Coding Scheme）といった技術が適用されている。ＡＭＣＳとは、高速パケットデータ伝送を効率的に行なうために、各移動局装置のチャネル品質に応じて、誤り訂正方式、誤り訂正の符号化率、データ変調多値数などの無線伝送パラメータ（以下、「ＡＭＣモード」と呼称する。）を切り替える方式である。各移動局装置のチャネル品質は、ＣＱＩ（Channel Quality Indicator）を使って基地局装置へフィードバックされる。
【０００４】
ＯＦＤＭＡでは、通信可能な領域を物理的にサブキャリアに対応する周波数領域と時間領域とに分割することができる。この分割領域をいくつかにまとめたものは物理リソースブロックと呼ばれ、一つ、または、いくつかの物理リソースブロックを各移動局装置へ割り振り、複数の移動局装置を多重化した通信が行なわれる。基地局装置と各移動局装置とが、その要求に応じた最適な品質・速度での通信を行なうためには、各移動局装置における各サブキャリアに対応する周波数帯のチャネル品質を考慮した物理リソースブロックへの割り当ておよび伝送方式の決定が必要である。伝送方式やスケジューリングは基地局装置が行なうため、この要求を実現するために、基地局装置へ各移動局装置から周波数領域ごとのチャネル品質がフィードバックされる。さらに、必要な場合には、基地局装置へ各移動局装置が選択した（例えば、チャネル品質の良い）周波数領域を示す情報がフィードバックされる。
【０００５】
また、ＥＵＴＲＡにおいては通信路容量を増大するために、ＭＩＭＯ（Multiple Input Multiple Output）を利用したＳＤＭ（Space Division Multiplexing：空間多重技術）やＳＦＢＣ（Space-Frequency Block Diversity）、ＣＤＤ（Cycle Delay Diversity）といった送信ダイバーシティの利用が提案されている。ＭＩＭＯは多入力・多出力システムまたは技術の総称であり、送信側、受信側に複数のアンテナを用いて、電波の入出力の分岐数を複数にして伝送することを特徴とする。ＭＩＭＯ方式を利用して空間多重送信できる信号系列の単位をストリームと呼ぶ。ＭＩＭＯ通信時におけるストリームの数（Rank）は、チャネル状態を考慮し、基地局装置が決定する。移動局装置が要求するストリームの数（Rank）は、移動局装置から基地局装置へＲＩ（Rank Indicator）を使ってフィードバックされる。
【０００６】
また、ダウンリンクにおけるＳＤＭの利用時については、各アンテナから送信される複数ストリームの情報を正しく分離ために、予め送信信号系列を前処理する（これを、「プレコーディング」と呼称する。）ことが検討されている。プレコーディングの情報は、移動局装置が推定したチャネル状態をもとに算出することができ、移動局装置から基地局装置にＰＭＩ（Precording Matrix Indicator）を使ってフィードバックされる。
【０００７】
このように、最適な品質での通信を実現するために、各移動局装置から基地局装置へ、チャネル状態を示す様々な情報をフィードバックすることが必要とされている。このチャネルフィードバックレポートＣＦＲ（チャネル状態情報）は、ＣＱＩ、ＰＭＩ、ＲＩなどで形成されている。これらのチャネルフィードバックレポートのビット数やフォーマットは、状況に応じて基地局装置から移動局装置へ指定される。
【０００８】
図１５は、ＥＵＴＲＡにおけるチャネル構成を示す図である（非特許文献１参照）。ＥＵＴＲＡの下りリンクは、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）と、により構成されている。
【０００９】
また、ＥＵＴＲＡの上りリンクは、物理上りリンク共用チャネル（ＰＵＳＣＨ：Physical Uplink Shared Channel）、物理ランダムアクセスチャネル（ＰＲＡＣＨ：Physical Random Access Channel）、物理上りリンク制御チャネル（ＰＵＣＣＨ：Physical Uplink Control Channel）と、により構成されている。
【００１０】
ＥＵＴＲＡにおいて、上りリンクシングルキャリアの性質上、移動局装置から異なるチャネル（例えば、ＰＵＳＣＨとＰＵＣＣＨ）を使用して、同時に送信することはできない。移動局装置は、これらのチャネルを同じタイミングで送信する際には、仕様等の定義に従って情報を多重化して定められたチャネルで送信するか、もしくは、仕様等の定義に従っていずれかの情報のみを送信する（その他のデータは送信しない（ドロップする））。
【００１１】
一方、ＰＵＳＣＨは、主に上りリンクデータを送信するために使用されるが、チャネルフィードバックレポートＣＦＲもＰＵＣＣＨを使用して送信されない場合に、上りリンクデータ（ＵＬ−ＳＣＨ）と共にＰＵＳＣＨを使用して送信される。すなわち、チャネルフィードバックレポートＣＦＲは、ＰＵＳＣＨもしくはＰＵＣＣＨを使用して基地局装置にフィードバックされることになる。一般的に、１サブフレーム内においては、ＰＵＣＣＨに比べてＰＵＳＣＨの方がチャネルフィードバックレポートＣＦＲを送信するために割り当てられるリソースが大きく、より詳細なチャネルフィードバックレポートＣＦＲ（基地局装置、移動局装置によってサポートされる物理リソースブロック数が６５−１１０個（２０ＭＨｚシステム帯域幅）の場合で、おおよそ２０〜１００ビット程度以上の情報）を送信することができる。移動局装置は、ＰＵＣＣＨを使用して、１サブフレーム内で、おおよそ１５ビット程度以下の情報しか送信することができない。
【００１２】
移動局装置はＰＵＣＣＨを使用して、チャネルフィードバックレポートＣＦＲを周期的に送信することができる。また、移動局装置はＰＵＳＣＨを使用して、チャネルフィードバックレポートＣＦＲを周期的、非周期的に送信することができる（非特許文献１、２）。基地局装置は、移動局装置にＲＲＣシグナリング（無線資源制御信号）を使用して、持続的なまたは永続的なＰＵＳＣＨのリソース、および、送信間隔を設定することによって、チャネルフィードバックレポートＣＦＲを、ＰＵＳＣＨを使用して周期的に送信させることができる。また、上りリンク送信許可信号にチャネルフィードバックレポート要求（チャネル状態レポートトリガー）を指示する１ビットの情報を含めることにより、チャネルフィードバックレポートＣＦＲと上りリンクデータを、ＰＵＳＣＨを使用して非周期的（一時的、単発的）に送信させることができる。
【００１３】
また、移動局装置はＰＵＳＣＨを使用してチャネルフィードバックレポートＣＦＲのみを非周期的に送信することができる。チャネルフィードバックレポートＣＦＲのみの送信とは、移動局装置が上りリンクデータとチャネルフィードバックレポートＣＦＲを同時には送信せずに、基地局装置に対して、チャネルフィードバックレポートＣＦＲのみ（ただしＡＣＫ／ＮＡＣＫなどの情報は含まれる。）を送信することである。
【００１４】
一方、ＥＵＴＲＡでは、音声通信などリアルタイムトラフィックのために持続的なまたは永続的なＰＵＳＣＨのリソースがスケジューリングされ、移動装置は、ＰＤＣＣＨによる上りリンク送信許可信号なしに上りリンクデータ用のＰＵＳＣＨを送信することが可能である。これをパーシステントスケジューリングと呼ぶ。基地局装置は、移動局装置にＲＲＣシグナリング（無線資源制御信号）を使用して、送信間隔を設定し、特別なＰＤＣＣＨによって持続的なＰＵＳＣＨの割り当てを活性化する。この特別なＰＤＣＣＨには、持続的なＰＵＳＣＨのリソースブロックや変調および符号化方式などを特定する情報が含まれている。
【先行技術文献】
【非特許文献】
【００１５】
【非特許文献１】3GPP TS (Technical Specification) 36.300, V8.4.0 (2008-03), Technical Specification Group Radio Access Network, Evolved Universal Terrestrial Radio Access (E-UTRA) and Evolved Universal Terrestrial Radio Access Network (E-UTRAN); Overall description; Stage 2 (Release 8)
【非特許文献２】3GPP TS (Technical Specification) 36.213, V8.2.0 (2008-03), Technical Specification Group Radio Access Network, Physical Layer Procedures (Release 8)
【発明の概要】
【発明が解決しようとする課題】
【００１６】
しかしながら、従来の技術では、上りリンクデータのためのＰＵＳＣＨのパーシステントスケジューリングと周期的なチャネルフィードバックレポートＣＦＲのためのＰＵＳＣＨの持続的な割り当てとが混在している。また、これらの指示に必要な信号は、共通点があるにもかかわらず別々の信号が用いられているため、システムの設計が煩雑になるという問題があった。
【００１７】
また、周期的なチャネルフィードバックと非周期的なチャネルフィードバックの起動方法、チャネルフィードバックのみの送信とチャネルフィードバックと上りリンクデータの同時送信の起動方法について、別々の信号が用いられているため、効率的に切り替えることができないという問題があった。また、新たに別のフォーマットの上り送信許可信号を導入すると、移動局装置で不必要な処理（ブラインドデコーディング処理）が増加してしまうという問題があった。
【００１８】
本発明は、このような事情に鑑みてなされたものであり、基地局装置が、移動局装置に対して、チャネルフィードバックレポートおよび／またはパーシステントスケジューリングを効率的な信号を使用して要求することができる移動通信システム、処理方法、移動局装置および基地局装置を提供することを目的とする。
【課題を解決するための手段】
【００１９】
（１）上記の目的を達成するために、本発明は、以下のような手段を講じた。すなわち、本発明の移動通信システムは、基地局装置から設定された移動局識別子に基づいて、移動局装置が検索すべき物理下りリンク制御チャネルの領域が定められる移動通信システムであって、前記基地局装置は、前記移動局装置に対して第１の移動局識別子または前記第２の移動局識別子を設定し、前記第２の移動局識別子を設定した場合、前記第１の移動局識別子に応じた物理下りリンク制御チャネルの検索領域に、前記第２の移動局識別子に関する物理下りリンク制御チャネルを配置し、前記移動局装置は、前記基地局装置から前記第１の移動局識別子が設定された場合、前記第１の移動局識別子に応じた物理下りリンク制御チャネルの検索領域において、前記第１の移動局識別子に関する物理下りリンク制御チャネルのデコード処理を行ない、前記基地局装置から前記第２の移動局識別子が設定された場合、前記第１の移動局識別子に応じた物理下りリンク制御チャネルの検索領域において、前記第２の移動局識別子に関する物理下りリンク制御チャネルのデコード処理を行なうことを特徴とする。
【００２０】
（２）また、本発明の移動通信システムにおいて、前記第２の移動局識別子は、前記第１の移動局識別子とは異なる目的において設定されることを特徴とする。
【００２１】
（３）また、本発明の移動通信システムにおいて、前記第１の移動局識別子は、Ｃ−ＲＮＴＩであり、前記第２の移動局識別子は、パーシステントスケジューリング用Ｃ−ＲＮＴＩであることを特徴とする。
【００２２】
（４）また、本発明の処理方法は、基地局装置から設定された移動局識別子に基づいて、移動局装置が検索すべき物理下りリンク制御チャネルの領域が定められる移動通信システムにおける処理方法であって、前記基地局装置は、前記移動局装置に対して第１の移動局識別子または前記第２の移動局識別子を設定し、前記第２の移動局識別子を設定した場合、前記第１の移動局識別子に応じた物理下りリンク制御チャネルの検索領域に、前記第２の移動局識別子に関する物理下りリンク制御チャネルを配置し、前記移動局装置は、前記基地局装置から前記第１の移動局識別子が設定された場合、前記第１の移動局識別子に応じた物理下りリンク制御チャネルの検索領域において、前記第１の移動局識別子に関する物理下りリンク制御チャネルのデコード処理を行ない、前記基地局装置から前記第２の移動局識別子が設定された場合、前記第１の移動局識別子に応じた物理下りリンク制御チャネルの検索領域において、前記第２の移動局識別子に関する物理下りリンク制御チャネルのデコード処理を行なうことを特徴とする。
【００２３】
（５）また、本発明の処理方法において、前記第２の移動局識別子は、前記第１の移動局識別子とは異なる目的において設定されることを特徴とする。
【００２４】
（６）また、本発明の処理方法において、前記第１の移動局識別子は、Ｃ−ＲＮＴＩであり、前記第２の移動局識別子は、パーシステントスケジューリング用Ｃ−ＲＮＴＩであることを特徴とする。
【００２５】
（７）また、本発明の移動局装置は、基地局装置から設定された移動局識別子に基づいて、移動局装置が検索すべき物理下りリンク制御チャネルの領域が定められる移動通信システムにおける移動局装置であって、前記基地局装置から第１の移動局識別子が設定された場合、前記第１の移動局識別子に応じた物理下りリンク制御チャネルの検索領域において、前記第１の移動局識別子に関する物理下りリンク制御チャネルのデコード処理を行ない、前記基地局装置から第２の移動局識別子が設定された場合、前記第１の移動局識別子に応じた物理下りリンク制御チャネルの検索領域において、前記第２の移動局識別子に関する物理下りリンク制御チャネルのデコード処理を行なうことを特徴とする。
【００２６】
（８）また、本発明の移動局装置において、前記第２の移動局識別子は、前記第１の移動局識別子とは異なる目的において設定されることを特徴とする。
【００２７】
（９）また、本発明の移動局装置において、前記第１の移動局識別子は、Ｃ−ＲＮＴＩであり、前記第２の移動局識別子は、パーシステントスケジューリング用Ｃ−ＲＮＴＩであることを特徴とする。
【００２８】
（１０）また、本発明の処理方法は、基地局装置から設定された移動局識別子に基づいて、移動局装置が検索すべき物理下りリンク制御チャネルの領域が定められる移動通信システムにおける移動局装置の処理方法であって、前記基地局装置から第１の移動局識別子が設定された場合、前記第１の移動局識別子に応じた物理下りリンク制御チャネルの検索領域において、前記第１の移動局識別子に関する物理下りリンク制御チャネルのデコード処理を行ない、前記基地局装置から第２の移動局識別子が設定された場合、前記第１の移動局識別子に応じた物理下りリンク制御チャネルの検索領域において、前記第２の移動局識別子に関する物理下りリンク制御チャネルのデコード処理を行なうことを特徴とする。
【００２９】
（１１）また、本発明の処理方法において、前記第２の移動局識別子は、前記第１の移動局識別子とは異なる目的において設定されることを特徴とする。
【００３０】
（１２）また、本発明の処理方法において、前記第１の移動局識別子は、Ｃ−ＲＮＴＩであり、前記第２の移動局識別子は、パーシステントスケジューリング用Ｃ−ＲＮＴＩであることを特徴とする。
【００３１】
（１３）また、本発明の移動局装置は、上記（１０）から（１２）のいずれかに記載の処理方法を実行することを特徴とする。
【００３２】
（１４）また、本発明の移動局装置は、上記（１０）から（１２）のいずれかに記載の処理方法を１つ以上のブロックによって実行することを特徴とする。
【００３３】
（１５）また、本発明の基地局装置は、基地局装置から設定された移動局識別子に基づいて、移動局装置が検索すべき物理下りリンク制御チャネルの領域が定められる移動通信システムにおける基地局装置であって、前記移動局装置に対して第１の移動局識別子または前記第２の移動局識別子を設定し、前記第２の移動局識別子を設定した場合、前記第１の移動局識別子に応じた物理下りリンク制御チャネルの検索領域に、前記第２の移動局識別子に関する物理下りリンク制御チャネルを配置することを特徴とする。
【００３４】
（１６）また、本発明の基地局装置において、前記第２の移動局識別子は、前記第１の移動局識別子とは異なる目的において設定されることを特徴とする。
【００３５】
（１７）また、本発明の基地局装置において、前記第１の移動局識別子は、Ｃ−ＲＮＴＩであり、前記第２の移動局識別子は、パーシステントスケジューリング用Ｃ−ＲＮＴＩであることを特徴とする。
【００３６】
（１８）また、本発明の処理方法は、基地局装置から設定された移動局識別子に基づいて、移動局装置が検索すべき物理下りリンク制御チャネルの領域が定められる移動通信システムにおける基地局装置の処理方法であって、前記移動局装置に対して第１の移動局識別子または前記第２の移動局識別子を設定し、前記第２の移動局識別子を設定した場合、前記第１の移動局識別子に応じた物理下りリンク制御チャネルの検索領域に、前記第２の移動局識別子に関する物理下りリンク制御チャネルを配置することを特徴とする。
【００３７】
（１９）また、本発明の処理方法において、前記第２の移動局識別子は、前記第１の移動局識別子とは異なる目的において設定されることを特徴とする。
【００３８】
（２０）また、本発明の処理方法において、前記第１の移動局識別子は、Ｃ−ＲＮＴＩであり、前記第２の移動局識別子は、パーシステントスケジューリング用Ｃ−ＲＮＴＩであることを特徴とする。
【００３９】
（２１）また、本発明の基地局装置は、上記（１８）から（２０）のいずれかに記載の処理方法を実行することを特徴とする。
【００４０】
（２２）また、本発明の基地局装置は、上記（１８）から（２０）のいずれかに記載の処理方法を１つ以上のブロックによって実行することを特徴とする。
【発明の効果】
【００４１】
本発明によれば、移動局装置において、下りリンク制御信号に含まれる情報に基づいて、持続的に割り当てられた上りリンクリソースまたは一時的に割り当てられた上りリンクリソースのいずれか一方を、チャネルフィードバックレポートを送信するための上りリンクリソースとして選択するので、持続的または一時的に割り当てられた上りリンクリソースを効率的に切り替えることができる。その結果、移動局装置は、効率的な信号を使用してチャネルフィードバックレポートを基地局装置に対して送信することができる。さらに、システムの設計を簡略化させることが可能となる。
【図面の簡単な説明】
【００４２】
【図１】ＥＵＴＲＡにおけるチャネルの構成を示す図である。
【図２】ＥＵＴＲＡにおけるチャネルの構成を示す図である。
【図３】ＥＵＴＲＡにおける下りリンクのフレームの構成を示す図である。
【図４】ＥＵＴＲＡにおける上りリンクのフレームの構成を示す図である。
【図５】実施形態に係る基地局装置の概略構成を示すブロック図である。
【図６】実施形態に係る移動局装置の概略構成を示すブロック図である。
【図７】物理下りリンク制御信号（ＰＤＣＣＨ）の種類に応じた移動局装置の動作の例を示す図である。
【図８】物理下りリンク制御信号（ＰＤＣＣＨ）の種類に応じた移動局装置の動作の別の例を示す図である。
【図９】物理下りリンク制御信号（ＰＤＣＣＨ）の種類に応じた移動局装置の動作の別の例を示す図である。
【図１０】図７に示すダイナミック用物理下りリンク制御信号（ＰＤＣＣＨ）に対応する移動局装置と基地局装置の信号の送受信の例を示す図である。
【図１１】図７に示すパーシステント用（または周期的チャネルフィードバック用）物理下りリンク制御信号（ＰＤＣＣＨ）でチャネルフィードバックレポート専用要求が指定された場合に対応する移動局装置と基地局装置の信号の送受信の例を示す図である。
【図１２】図７に示すパーシステント用（または周期的チャネルフィードバック用）物理下りリンク制御信号（ＰＤＣＣＨ）でチャネルフィードバックレポート要求が指定された場合に対応する移動局装置と基地局装置の信号の送受信の例を示す図である。
【図１３】図７に示すパーシステント用（または周期的チャネルフィードバック用）物理下りリンク制御信号（ＰＤＣＣＨ）でチャネルフィードバックレポート要求が指定された場合に対応する移動局装置と基地局装置の信号の送受信の別の例を示す図である。
【図１４】図７に示すパーシステント用（または周期的チャネルフィードバック用）物理下りリンク制御信号（ＰＤＣＣＨ）でチャネルフィードバックレポート専用要求が指定された場合に対応する移動局装置と基地局装置の信号の送受信の例を示す図である。
【図１５】ＥＵＴＲＡにおけるチャネル構成を示す図である。
【発明を実施するための形態】
【００４３】
次に、本発明に係る実施形態について、図面を参照しながら説明する。
【００４４】
［チャネル構成］
図１および図２は、ＥＵＴＲＡにおけるチャネルの構成を示す図である。図１および図２に示すように、これらのチャネルは、論理チャネル、トランスポートチャネル、物理チャネルに分類される。図１は、下りリンクのチャネルを示しており、図２は、上りリンクのチャネルを示している。論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルを運ぶ物理的なチャネルである。
【００４５】
論理チャネルには、報知制御チャネル（ＢＣＣＨ：Broadcast Control Channel）、ページング制御チャネル（ＰＣＣＨ：Paging Control Channel）、共通制御チャネル（ＣＣＣＨ：Common Control Channel）、専用制御チャネル（ＤＣＣＨ：Dedicated Control Channel）、専用トラフィックチャネル（ＤＴＣＨ：Dedicated Traffic Channel）、マルチキャスト制御チャネル（ＭＣＣＨ：Multicast Control Channel）、マルチキャストトラフィックチャネル（ＭＴＣＨ：Multicast Traffic Channel）が含まれる。
【００４６】
トランスポートチャネルには、報知チャネル（ＢＣＨ：Broadcast Channel）、ページングチャネル（ＰＣＨ：Paging Channel）、下りリンク共用チャネル（ＤＬ−ＳＣＨ：Downlink Shared Channel）、マルチキャストチャネル（ＭＣＨ：Multicast Channel）、上りリンク共用チャネル（ＵＬ−ＳＣＨ：Uplink Shared Channel）、ランダムアクセスチャネル（ＲＡＣＨ：Random Access Channel）が含まれる。
【００４７】
物理チャネルには、物理報知チャネル（ＰＢＣＨ：Physical Broadcast Channel）、物理下りリンク制御チャネル（ＰＤＣＣＨ：Physical Downlink Control Channel）、物理下りリンク共用チャネル（ＰＤＳＣＨ：Physical Downlink Shared Channel）、物理マルチキャストチャネル（ＰＭＣＨ：Physical Multicast Channel）、物理上りリンク共用チャネル（ＰＵＳＣＨ：Physical Uplink Shared Channel）、物理ランダムアクセスチャネル（ＰＲＡＣＨ：Physical Random Access Channel）、物理上りリンク制御チャネル（ＰＵＣＣＨ：Physical Uplink Control Channel）、物理制御フォーマット指示チャネル（ＰＣＦＩＣＨ：Physical Control Format Indicator Channel）、物理ハイブリッド自動再送要求指示チャネル（ＰＨＩＣＨ：Physical Hybrid ARQ Indicator Channel）が含まれる。これらが送受信される様子を図１５に示す。
【００４８】
次に、論理チャネルについて説明する。報知制御チャネル（ＢＣＣＨ）は、システム制御情報を報知するために使用される下りリンクチャネルである。ページング制御チャネル（ＰＣＣＨ）は、ページング情報を送信するために使用される下りリンクチャネルであり、ネットワークが移動局装置のセル位置を知らないときに使用される。共通制御チャネル（ＣＣＣＨ）は、移動局装置とネットワーク間の制御情報を送信するために使用されるチャネルであり、ネットワークと無線リソース制御（ＲＲＣ：Radio Resource Control）接続を有していない移動局装置によって使用される。
【００４９】
専用制御チャネル（ＤＣＣＨ）は、１対１（point-to-point）の双方向チャネルであり、移動局装置とネットワーク間で個別の制御情報を送信するために利用するチャネルである。専用制御チャネル（ＤＣＣＨ）は、ＲＲＣ接続を有している移動局装置によって使用される。専用トラフィックチャネル（ＤＴＣＨ）は、１対１の双方向チャネルであり、１つの移動局装置専用のチャネルであって、ユーザ情報（ユニキャストデータ）の転送のために利用される。
【００５０】
マルチキャスト制御チャネル（ＭＣＣＨ）は、ネットワークから移動局装置へＭＢＭＳ制御情報を１対多（point-to-multipoint）送信するために使用される下りリンクチャネルである。これは、１対多でサービスを提供するマルチメディアブロードキャストマルチキャストサービス（ＭＢＭＳ：Multimedia Broadcast Multicast Service、以下「ＭＢＭＳサービス」と呼称する。）に使用される。ＭＢＭＳサービスの送信方法としては、単セル一対多（ＳＣＰＴＭ：Single-Cell Point-to-Multipoint）送信と、マルチメディアブロードキャストマルチキャストサービス単一周波数網（ＭＢＳＦＮ：Multimedia Broadcast multicast service Single Frequency Network）送信とがある。ＭＢＳＦＮ送信（MBSFN Transmission）とは、複数セルから同時に識別可能な波形（信号）を送信することで実現する同時送信技術である。一方、ＳＣＰＴＭ送信とは、１つの基地局装置でＭＢＭＳサービスを送信する方法である。
【００５１】
マルチキャスト制御チャネル（ＭＣＣＨ）は、ネットワークから移動局装置へＭＢＭＳ制御情報を１対多（point-to-multipoint）送信するために使用される下りリンクチャネルである。また、マルチキャスト制御チャネル（ＭＣＣＨ）は、１つまたは複数のマルチキャストトラフィックチャネル（ＭＴＣＨ）に利用される。マルチキャストトラフィックチャネル（ＭＴＣＨ）は、ネットワークから移動局装置へトラフィックデータ（ＭＢＭＳ送信データ）を１対多（point-to-multipoint）送信するために使用される下りリンクチャネルである。なお、マルチキャスト制御チャネル（ＭＣＣＨ）およびマルチキャストトラフィックチャネル（ＭＴＣＨ）は、ＭＢＭＳを受信する移動局装置だけが利用する。
【００５２】
次に、トランスポートチャネルについて説明する。報知チャネル（ＢＣＨ）は、固定かつ事前に定義された送信形式によって、セル全体に報知される必要がある。下りリンク共用チャネル（ＤＬ−ＳＣＨ）では、ＨＡＲＱ、動的適応無線リンク制御、間欠受信（ＤＲＸ：Discontinuous Reception）、ＭＢＭＳ送信がサポートされ、セル全体に報知される必要がある。また、下りリンク共用チャネル（ＤＬ−ＳＣＨ）では、ビームフォーミングを利用可能であり、動的リソース割り当ておよび準静的リソース割り当てがサポートされる。ページングチャネル（ＰＣＨ）では、ＤＲＸがサポートされ、セル全体に報知される必要がある。また、ページングチャネル（ＰＣＨ）は、トラフィックチャネルや他の制御チャネルに対して動的に使用される物理リソース、すなわち物理下りリンク共用チャネル（ＰＤＳＣＨ）、にマッピングされる。
【００５３】
マルチキャストチャネル（ＭＣＨ）は、セル全体に報知される必要がある。また、マルチキャストチャネル（ＭＣＨ）では、複数セルからのＭＢＭＳ送信のＭＢＳＦＮ（MBMS Single Frequency Network）結合（Combining）や、拡張サイクリックプリフィックス（ＣＰ：Cyclic Prefix）を使う時間フレームなど、準静的リソース割り当てがサポートされる。上りリンク共用チャネル（ＵＬ−ＳＣＨ）では、ＨＡＲＱ、動的適応無線リンク制御がサポートされる。また、上りリンク共用チャネル（ＵＬ−ＳＣＨ）では、ビームフォーミングを利用可能である。動的リソース割り当ておよび準静的リソース割り当てがサポートされる。ランダムアクセスチャネル（ＲＡＣＨ）は、限られた制御情報が送信され、衝突リスクがある。
【００５４】
そして、物理チャネルについて説明する。物理報知チャネル（ＰＢＣＨ）は、４０ミリ秒間隔で報知チャネル（ＢＣＨ）をマッピングする。４０ミリ秒のタイミングは、ブラインド検出（blind detection）される（すなわち、タイミング提示のために、明示的なシグナリングを行なわない）。また、物理報知チャネル（ＰＢＣＨ）を含むサブフレームは、そのサブフレームだけで復号でき（自己復号可能（self-decodable）であり）、複数回に分割されて送信されない。
【００５５】
物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ：Hybrid Automatic Repeat Request）情報、および、物理上りリンク共用チャネル（ＰＵＳＣＨ）のリソース割り当てである上りリンク送信許可（上りリンクグラント）を移動局装置に通知するために使用されるチャネルである。
【００５６】
物理下りリンク共用チャネル（ＰＤＳＣＨ）は、下りリンクデータまたはページング情報を送信するために使用されるチャネルである。物理マルチキャストチャネル（ＰＭＣＨ）は、マルチキャストチャネル（ＭＣＨ）を送信するために利用するチャネルであり、下りリンク参照信号、上りリンク参照信号、物理下りリンク同期信号が別途配置される。
【００５７】
物理上りリンク共用チャネル（ＰＵＳＣＨ）は、主に上りリンクデータ（ＵＬ−ＳＣＨ）を送信するために使用されるチャネルである。基地局装置が、移動局装置をスケジューリングした場合には、チャネルフィードバックレポート（ＣＱＩ、ＰＭＩ、ＲＩ）や下りリンク送信に対するＨＡＲＱ肯定応答（ＡＣＫ：Acknowledgement）／否定応答（ＮＡＣＫ：Negative Acknowledgement）もＰＵＳＣＨを使用して送信される。
【００５８】
物理ランダムアクセスチャネル（ＰＲＡＣＨ）は、ランダムアクセスプリアンブルを送信するために使用されるチャネルであり、ガードタイムを持つ。物理上りリンク制御チャネル（ＰＵＣＣＨ）は、チャネルフィードバックレポートＣＦＲ、スケジューリング要求（ＳＲ：Scheduling Request）、下りリンク送信に対するＨＡＲＱ、肯定応答（ＡＣＫ：Acknowledgement）／否定応答（ＮＡＣＫ：Negative Acknowledgement）などを送信するために使用されるチャネルである。
【００５９】
物理制御フォーマット指示チャネル（ＰＣＦＩＣＨ）は、物理下りリンク制御チャネル（ＰＤＣＣＨ）のために使用されるＯＦＤＭシンボル数を移動局装置に通知するために利用するチャネルであり、各サブフレームで送信される。物理ハイブリッド自動再送要求指示チャネル（ＰＨＩＣＨ）は、上りリンク送信に対するＨＡＲＱ  ＡＣＫ／ＮＡＣＫを送信するために利用するチャネルである。
【００６０】
［チャネルマッピング］
図１に示されるように、下りリンクでは、次のようにトランスポートチャネルと物理チャネルのマッピングが行なわれる。報知チャネル（ＢＣＨ）は、物理報知チャネル（ＰＢＣＨ）にマッピングされる。マルチキャストチャネル（ＭＣＨ）は、物理マルチキャストチャネル（ＰＭＣＨ）にマッピングされる。ページングチャネル（ＰＣＨ）および下りリンク共用チャネル（ＤＬ−ＳＣＨ）は、物理下りリンク共用チャネル（ＰＤＳＣＨ）にマッピングされる。物理下りリンク制御チャネル（ＰＤＣＣＨ）、物理ハイブリッド自動再送要求指示チャネル（ＰＨＩＣＨ）、物理制御フォーマット指示チャネル（ＰＣＦＩＣＨ）は、物理チャネル単独で使用される。
【００６１】
一方、上りリンクでは、次のようにトランスポートチャネルと物理チャネルのマッピングが行なわれる。上りリンク共用チャネル（ＵＬ−ＳＣＨ）は、物理上りリンク共用チャネル（ＰＵＳＣＨ）にマッピングされる。ランダムアクセスチャネル（ＲＡＣＨ）は、物理ランダムアクセスチャネル（ＰＲＡＣＨ）にマッピングされる。物理上りリンク制御チャネル（ＰＵＣＣＨ）は、物理チャネル単独で使用される。
【００６２】
また、下りリンクにおいて、次のように論理チャネルとトランスポートチャネルのマッピングが行なわれる。ページング制御チャネル（ＰＣＣＨ）は、下りリンク共用チャネル（ＤＬ−ＳＣＨ）にマッピングされる。報知制御チャネル（ＢＣＣＨ）は、報知チャネル（ＢＣＨ）と下りリンク共用チャネル（ＤＬ−ＳＣＨ）にマッピングされる。共通制御チャネル（ＣＣＣＨ）、専用制御チャネル（ＤＣＣＨ）、専用トラフィックチャネル（ＤＴＣＨ）は、下りリンク共用チャネル（ＤＬ−ＳＣＨ）にマッピングされる。マルチキャスト制御チャネル（ＭＣＣＨ）は、下りリンク共用チャネル（ＤＬ−ＳＣＨ）とマルチキャストチャネル（ＭＣＨ）にマッピングされる。マルチキャストトラフィックチャネル（ＭＴＣＨ）は、下りリンク共用チャネル（ＤＬ−ＳＣＨ）とマルチキャストチャネル（ＭＣＨ）にマッピングされる。
【００６３】
なお、マルチキャスト制御チャネル（ＭＣＣＨ）およびマルチキャストトラフィックチャネル（ＭＴＣＨ）からマルチキャストチャネル（ＭＣＨ）へのマッピングは、ＭＢＳＦＮ送信時に行なわれる一方、ＳＣＰＴＭ送信時は、このマッピングは下りリンク共用チャネル（ＤＬ−ＳＣＨ）にマッピングされる。
【００６４】
一方、上りリンクにおいて次のように論理チャネルとトランスポートチャネルのマッピングが行なわれる。共通制御チャネル（ＣＣＣＨ）、専用制御チャネル（ＤＣＣＨ）、専用トラフィックチャネル（ＤＴＣＨ）は、上りリンク共用チャネル（ＵＬ−ＳＣＨ）にマッピングされる。ランダムアクセスチャネル（ＲＡＣＨ）は、論理チャネルとマッピングされない。
【００６５】
［無線フレーム構成］
次に、ＥＵＴＲＡにおけるフレームの構成について説明する。図３は下りリンク、図４は上りリンクのフレーム構成を示している。システムフレーム番号（ＳＦＮ：System Frame Number）で識別される無線フレームは１０ミリ秒で構成されている。また、１サブフレームは１ミリ秒で構成されており、無線フレームには１０個のサブフレームが含まれる。
【００６６】
１サブフレームは２つのスロットに分離される。通常のＣＰ（normal CP）が使用される場合、下りリンクのスロットは７個のＯＦＤＭシンボルで構成され、上りリンクのスロットは７個のＳＣ−ＦＤＭＡ（Single Carrier-Frequency Division Multiple Access）シンボルで構成される。なお、拡張ＣＰ（「long CPまたはextended CP」とも呼称する。）が使用される場合は、下りリンクのスロットは６個のＯＦＤＭシンボルで構成され、上りリンクのスロットは６個のＳＣ−ＦＤＭＡシンボルで構成される。
【００６７】
また、１つのスロットは周波数方向に複数のブロックに分割される。１５ｋＨｚのサブキャリア１２本を周波数方向の単位として、１個の物理リソースブロック（ＰＲＢ：Physical Resource Block）を構成する。物理リソースブロック（ＰＲＢ）数は、システム帯域幅に応じて、６個から１１０個までサポートされる。下りリンク、上りリンクのリソース割り当ては、時間方向にサブフレーム単位かつ周波数方向に物理リソースブロック（ＰＲＢ）単位で行なわれる。すなわち、サブフレーム内の２つのスロットは、一つのリソース割り当て信号で割り当てられる。
【００６８】
サブキャリアとＯＦＤＭシンボルまたはサブキャリアとＳＣ−ＦＤＭＡシンボルで構成される単位をリソースエレメントと呼ぶ。物理層でのリソースマッピング処理で各リソースエレメントに対して変調シンボルなどがマッピングされる。
【００６９】
下りリンクトランスポートチャネルの物理層での処理では、物理下りリンク共用チャネル（ＰＤＳＣＨ）に対する２４ビットの巡回冗長検査（ＣＲＣ：Cyclic Redundancy Check）の付与、チャネルコーディング（伝送路符号化）、物理層ＨＡＲＱ処理、チャネルインターリービング、スクランブリング、変調（ＱＰＳＫ、１６ＱＡＭ、６４ＱＡＭ）、レイヤマッピング、プレコーディング、リソースマッピング、アンテナマッピングなどが行なわれる。一方、上りリンクトランスポートチャネルの物理層での処理では、物理上りリンク共用チャネル（ＰＵＳＣＨ）に対する２４ビットのＣＲＣの付与、チャネルコーディング（伝送路符号化）、物理層ＨＡＲＱ処理、スクランブリング、変調（ＱＰＳＫ、１６ＱＡＭ、６４ＱＡＭ）、リソースマッピング、アンテナマッピングなどが行なわれる。
【００７０】
物理下りリンク制御チャネル（ＰＤＣＣＨ）および物理ハイブリッド自動再送要求指示チャネル（ＰＨＩＣＨ）および物理制御フォーマット指示チャネル（ＰＣＦＩＣＨ）は、最初の３ＯＦＤＭシンボル以下に配置される。物理下りリンク制御チャネル（ＰＤＣＣＨ）では、下りリンク共用チャネル（ＤＬ−ＳＣＨ）およびページングチャネル（ＰＣＨ）に対するトランスポートフォーマット（変調方式、符号化方式、トランスポートブロックサイズなどを規定する。）、リソース割り当て、ＨＡＲＱ情報が送信される。また、物理下りリンク制御チャネル（ＰＤＣＣＨ）では、上りリンク共用チャネル（ＵＬ−ＳＣＨ）に対するトランスポートフォーマット（変調方式、符号化方式、トランスポートブロックサイズなどを規定する。）、リソース割り当て、ＨＡＲＱ情報が送信される。また、複数の物理下りリンク制御チャネル（ＰＤＣＣＨ）がサポートされ、移動局装置は、物理下りリンク制御チャネル（ＰＤＣＣＨ）のセットをモニタリングする。
【００７１】
物理下りリンク制御チャネル（ＰＤＣＣＨ）で割り当てられた物理下りリンク共用チャネル（ＰＤＳＣＨ）は、物理下りリンク制御チャネル（ＰＤＣＣＨ）と同一のサブフレームにマッピングされる。物理下りリンク制御チャネル（ＰＤＣＣＨ）で割り当てられた物理上りリンク共用チャネル（ＰＵＳＣＨ）は、予め定められた位置のサブフレームにマッピングされる。例えば、物理下りリンク制御チャネル（ＰＤＣＣＨ）の下りリンクサブフレーム番号がＮの場合、Ｎ＋４番の上りリンクサブフレームにマッピングされる。
【００７２】
また、物理下りリンク制御チャネル（ＰＤＣＣＨ）による上り／下りリンクのリソース割り当てにおいて、移動局装置は、１６ビットのＭＡＣ層識別情報（ＭＡＣ  ＩＤ）を用いて特定される。すなわち、この１６ビットのＭＡＣ層識別情報（ＭＡＣ  ＩＤ）が物理下りリンク制御チャネル（ＰＤＣＣＨ）に含まれる。
【００７３】
また、下りリンク状態の測定用および下りリンクデータの復調用に使用される下りリンク参照信号（下りリンクパイロットチャネル）は、各スロットの１番目、２番目、後ろから３番目のＯＦＤＭシンボルに配置される。一方、物理上りリンク共用チャネル（ＰＵＳＣＨ）の復調用に使用される上りリンク復調用参照信号（復調用パイロット（ＤＲＳ：Demodulation Reference Signal））は、各スロットの４番目のＳＣ−ＦＤＭＡシンボルで送信される。また、上りリンク状態の測定用に使用される上りリンク測定用参照信号（スケジューリング用パイロット（ＳＲＳ：Sounding Reference Signal））は、サブフレームの先頭のＳＣ−ＦＤＭＡシンボルで送信される。上りリンク制御チャネル（ＰＵＣＣＨ）の復調用参照信号は、上りリンク制御チャネルのフォーマットごとに定義され、各スロットの３および４および５番目、または、各スロットの２番目および６番目のＳＣ−ＦＤＭＡシンボルで送信される。
【００７４】
また、物理報知チャネル（ＰＢＣＨ）、下りリンク同期信号は、システム帯域の中心６物理リソースブロック分の帯域に配置される。物理下りリンク同期信号は、１番目（サブフレーム＃０）および５番目（サブフレーム＃４）のサブフレームの各スロットの６番目、７番目のＯＦＤＭシンボルで送信される。物理報知チャネル（ＰＢＣＨ）は、１番目（サブフレーム＃０）のサブフレームの１番目のスロット（スロット＃０）の４番目、５番目のＯＦＤＭシンボルと２番目のスロット（スロット＃１）の１番目、２番目のＯＦＤＭシンボルで送信される。
【００７５】
また、ランダムアクセスチャネル（ＲＡＣＨ）は、周波数方向に６個の物理リソースブロック分の帯域幅、時間方向に１サブフレームで構成される。移動局装置から基地局装置にさまざまな理由で要求（上りリンクリソースの要求、上りリンク同期の要求、下りリンクデータ送信再開要求、ハンドオーバー要求、接続設定要求、再接続要求、ＭＢＭＳサービス要求など）を行なうために送信される。
【００７６】
上りリンク制御チャネル（ＰＵＣＣＨ）は、システム帯域の両端に配置され、物理リソースブロック単位で構成される。スロット間でシステム帯域の両端が交互に使用されるように周波数ホッピングが行なわれる。
【００７７】
本実施形態に係る通信システムは、基地局装置１００と、移動局装置２００と、から構成される。
【００７８】
［基地局装置］
図５は、本実施形態に係る基地局装置の概略構成を示すブロック図である。図５に示すように、基地局装置１００は、データ制御部１０１と、ＯＦＤＭ変調部１０２と、無線部１０３と、スケジューリング部１０４と、チャネル推定部１０５と、ＤＦＴ−Ｓｐｒｅａｄ−ＯＦＤＭ（ＤＦＴ−Ｓ−ＯＦＤＭ）復調部１０６と、データ抽出部１０７と、上位層１０８と、を含んで構成される。また、無線部１０３、スケジューリング部１０４、チャネル推定部１０５、ＤＦＴ−Ｓｐｒｅａｄ−ＯＦＤＭ（ＤＦＴ−Ｓ−ＯＦＤＭ）復調部１０６、データ抽出部１０７、上位層１０８で受信部を構成し、データ制御部１０１、ＯＦＤＭ変調部１０２、無線部１０３、スケジューリング部１０４、上位層１０８で送信部を構成している。
【００７９】
無線部１０３、チャネル推定部１０５、ＤＦＴ−Ｓｐｒｅａｄ−ＯＦＤＭ（ＤＦＴ−Ｓ−ＯＦＤＭ）復調部１０６、データ抽出部１０７で上りリンクの物理層の処理を行なう。無線部１０３、ＤＦＴ−Ｓｐｒｅａｄ−ＯＦＤＭ（ＤＦＴ−Ｓ−ＯＦＤＭ）復調部１０６、データ抽出部１０７で下りリンクの物理層の処理を行なう。
【００８０】
データ制御部１０１は、スケジューリング部１０４からトランスポートチャネルおよびスケジューリング情報を受信する。トランスポートチャネルと物理層で生成される信号およびチャネルを、スケジューリング部１０４から入力されるスケジューリング情報に基づいて、物理チャネルにマッピングする。以上のようにマッピングされた各データは、ＯＦＤＭ変調部１０２へ出力される。
【００８１】
ＯＦＤＭ変調部１０２は、データ制御部１０１から入力されたデータに対して、スケジューリング部１０４からのスケジューリング情報（下りリンク物理リソースブロックＰＲＢ（Physical Resource Block）割り当て情報（例えば、周波数、時間など物理リソースブロック位置情報）や、各ＰＲＢに対応する変調方式および符号化方式（例えば、１６ＱＡＭ変調、２／３コーディングレート）などを含む）に基づいて、符号化、データ変調、入力信号の直列／並列変換、ＩＦＦＴ（Inverse Fast Fourier Transform：逆高速フーリエ変換）処理、ＣＰ（Cyclic Prefix）挿入、並びに、フィルタリングなどＯＦＤＭ信号処理を行ない、ＯＦＤＭ信号を生成して、無線部１０３へ出力する。
【００８２】
無線部１０３は、ＯＦＤＭ変調部１０２から入力された変調データを無線周波数にアップコンバートして無線信号を生成し、アンテナ（図示せず）を介して、移動局装置２００に送信する。また、無線部１０３は、移動局装置２００からの上りリンクの無線信号を、アンテナ（図示せず）を介して受信し、ベースバンド信号にダウンコンバートして、受信データをチャネル推定部１０５とＤＦＴ−Ｓ−ＯＦＤＭ復調部１０６とに出力する。
【００８３】
スケジューリング部１０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、下りリンクのスケジューリングでは、移動局装置２００から受信した上りリンクのフィードバック情報（下りリンクのチャネルフィードバック情報（チャネル状態情報（チャネル品質、ストリームの数、プレコーディング情報など））や、下りリンクデータに対するＡＣＫ／ＮＡＣＫフィードバック情報など）、各移動局装置の使用可能なＰＲＢの情報、バッファ状況、上位層１０８から入力されたスケジューリング情報などに基づいて、各データを変調するための下りリンクのトランスポートフォーマット（送信形態）（物理リソースブロックの割り当ておよび変調方式および符号化方式など）の選定処理およびＨＡＲＱにおける再送制御を行なう。これら下りリンクのスケジューリングに使用されるスケジューリング情報は、データ制御部１０１へ出力される。
【００８４】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態）（物理リソースブロックの割り当ておよび変調方式および符号化方式など）の選定処理を行なう。これら上りリンクのスケジューリングに使用されるスケジューリング情報は、データ制御部１０１へ出力される。
【００８５】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００８６】
チャネル推定部１０５は、上りリンクデータの復調のために、上りリンク復調用参照信号（ＤＲＳ：Demodulation Reference Signal）から上りリンクのチャネル状態を推定し、その推定結果をＤＦＴ−Ｓ−ＯＦＤＭ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。なお、上りリンクの通信方式は、ＤＦＴ−Ｓ−ＯＦＤＭ等のようなシングルキャリア方式を想定しているが、ＯＦＤＭ方式のようなマルチキャリア方式を用いてもよい。
【００８７】
ＤＦＴ−Ｓ−ＯＦＤＭ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等のＤＦＴ−Ｓ−ＯＦＤＭ信号処理を行なって、復調処理を施し、データ抽出部１０７に出力する。
【００８８】
データ抽出部１０７は、ＤＦＴ−Ｓ−ＯＦＤＭ復調部１０６から入力されたデータに対して、正誤を確認するとともに、確認結果（肯定信号ＡＣＫ／否定信号ＮＡＣＫ）をスケジューリング部１０４に出力する。また、データ抽出部１０７は、ＤＦＴ−Ｓ−ＯＦＤＭ復調部１０６から入力されたデータからトランスポートチャネルと物理層の制御データとに分離して、スケジューリング部１０４に出力する。分離された制御データには、移動局装置２００から通知された上りリンクのフィードバック情報（下りリンクのチャネルフィードバックレポートＣＦＲ、下りリンクのデータに対するＡＣＫ／ＮＡＣＫフィードバック情報）などが含まれている。
【００８９】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、無線リソース制御部１０９（制御部とも言う）を有している。また、無線リソース制御部１０９は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などを行なっている。
【００９０】
［移動局装置］
図６は、本実施形態に係る移動局装置の概略構成を示すブロック図である。図６に示すように、移動局装置２００は、データ制御部２０１と、ＤＦＴ−Ｓ−ＯＦＤＭ変調部２０２と、無線部２０３と、スケジューリング部２０４と、チャネル推定部２０５と、ＯＦＤＭ復調部２０６と、データ抽出部２０７と、上位層２０８と、を含んで構成されている。また、データ制御部２０１、ＤＦＴ−Ｓ−ＯＦＤＭ変調部２０２、無線部２０３、スケジューリング部２０４、上位層２０８、で送信部を構成し、無線部２０３、スケジューリング部２０４、チャネル推定部２０５、ＯＦＤＭ復調部２０６、データ抽出部２０７、上位層２０８、で受信部を構成している。また、スケジューリング部２０４は、選択部を構成する。
【００９１】
データ制御部２０１、ＤＦＴ−Ｓ−ＯＦＤＭ変調部２０２、無線部２０３、で上りリンクの物理層の処理を行なう。無線部２０３、チャネル推定部２０５、ＯＦＤＭ復調部２０６、データ抽出部２０７、で下りリンクの物理層の処理を行なう。
【００９２】
データ制御部２０１は、スケジューリング部２０４からトランスポートチャネルおよびスケジューリング情報を受信する。トランスポートチャネルと物理層で生成される信号およびチャネルを、スケジューリング部２０４から入力されるスケジューリング情報に基づいて、物理チャネルにマッピングする。このようにマッピングされた各データは、ＤＦＴ−Ｓ−ＯＦＤＭ変調部２０２へ出力される。
【００９３】
ＤＦＴ−Ｓ−ＯＦＤＭ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどのＤＦＴ−Ｓ−ＯＦＤＭ信号処理を行ない、ＤＦＴ−Ｓ−ＯＦＤＭ信号を生成して、無線部２０３へ出力する。
【００９４】
なお、上りリンクの通信方式は、ＤＦＴ−Ｓ−ＯＦＤＭ等のようなシングルキャリア方式を想定しているが、代わりにＯＦＤＭ方式のようなマルチキャリア方式を用いても良い。
【００９５】
無線部２０３は、ＤＦＴ−Ｓ−ＯＦＤＭ変調部２０２から入力された変調データを無線周波数にアップコンバートして無線信号を生成し、アンテナ（図示せず）を介して、基地局装置１００に送信する。
【００９６】
また、無線部２０３は、基地局装置１００からの下りリンクのデータで変調された無線信号を、アンテナ（図示せず）を介して受信し、ベースバンド信号にダウンコンバートして、受信データを、チャネル推定部２０５およびＯＦＤＭ復調部２０６に出力する。
【００９７】
スケジューリング部２０４は、媒体アクセス制御（ＭＡＣ：Medium Access Control）層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）を行なう。スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御やＨＡＲＱ再送制御を行なう。
【００９８】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理を行なう。なお、上りリンクのトランスポートフォーマットについては、基地局装置１００から通知された情報を利用する。これらスケジューリング情報は、データ制御部２０１へ出力される。
【００９９】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力された下りリンクのチャネルフィードバックレポートＣＦＲ（チャネル状態情報）や、データ抽出部２０７から入力されたＣＲＣ確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【０１００】
チャネル推定部２０５は、下りリンクデータの復調のために、下りリンク参照信号（ＲＳ）から下りリンクのチャネル状態を推定し、その推定結果をＯＦＤＭ復調部２０６に出力する。また、チャネル推定部２０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネル状態フィードバック情報（チャネル品質情報など）に変換して、スケジューリング部２０４に出力する。
【０１０１】
ＯＦＤＭ復調部２０６は、チャネル推定部２０５から入力された下りリンクのチャネル状態推定結果に基づいて、無線部２０３から入力された変調データに対して、ＯＦＤＭ復調処理を施し、データ抽出部２０７に出力する。
【０１０２】
データ抽出部２０７は、ＯＦＤＭ復調部２０６から入力されたデータに対して、ＣＲＣを行ない、正誤を確認するとともに、確認結果（ＡＣＫ／ＮＡＣＫフィードバック情報）をスケジューリング部２０４に出力する。また、データ抽出部２０７は、ＯＦＤＭ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。このとき、物理下りリンク制御信号（ＰＤＣＣＨ）の検索空間（検索領域ともいう）をデコード処理し、自局宛の下りリンクまたは上りリンクのリソース割り当てなどを抽出する。
【０１０３】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、無線リソース制御部２０９（制御部とも言う）を有している。無線リソース制御部２０９は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【０１０４】
（第１の実施形態）
続いて、基地局装置１００および移動局装置２００を用いた通信システムにおいて、本発明の第１の実施形態を説明する。移動局装置は、チャネルフィードバックレポートＣＦＲを持続的に（パーシステントに）割り当てられた上りリンクリソース（物理上りリンク共用チャネル（ＰＵＳＣＨ））で送信するか、一時的に（ワンショットに）割り当てられた上りリンクリソース（物理上りリンク共用チャネル（ＰＵＳＣＨ））で送信するかを上りリンクリソース割り当てをおこなう物理下りリンク制御信号（ＰＤＣＣＨ）に含まれる情報に応じて決定する。
【０１０５】
移動局装置は、持続的上りリンクリソース割り当てをおこなう物理下りリンク制御信号（ＰＤＣＣＨ）に、チャネルフィードバックレポートＣＦＲを要求する情報が含まれている場合は、上りリンクデータ（上りリンク共用チャネル：ＵＬ−ＳＣＨ）とチャネルフィードバックレポートＣＦＲを持続的に割り当てられた物理上りリンク共用チャネル（ＰＵＳＣＨ）で送信し、物理下りリンク制御信号（ＰＤＣＣＨ）に、チャネルフィードバックレポートＣＦＲを要求する情報が含まれていない場合は、上りリンクデータを持続的に割り当てられた物理上りリンク共用チャネル（ＰＵＳＣＨ）で送信する。
【０１０６】
移動局装置は、物理下りリンク制御信号（ＰＤＣＣＨ）に含まれるＭＡＣ  ＩＤに自局の移動局識別子であるセル無線網臨時識別子（Ｃ−ＲＮＴＩ：Cell - Radio Network Temporary Identity）が含まれるかどうかで、自局宛の制御信号かどうかを判断する。ＭＡＣ  ＩＤは、物理下りリンク制御信号（ＰＤＣＣＨ）のＣＲＣとして識別されていても良いし、物理下りリンク制御信号（ＰＤＣＣＨ）のスクランブル符号で識別されても良い。物理下りリンク制御信号（ＰＤＣＣＨ）は、そのビットサイズやフラグによって上りリンク送信許可信号や下りリンクリソース割り当てであることが識別される。上りリンク送信許可信号にはチャネルフィードバックレポート要求が含まれる。
【０１０７】
さらに、物理下りリンク制御信号（ＰＤＣＣＨ）に上りリンクデータ（ＵＬ−ＳＣＨ）を含まないでチャネルフィードバックレポートＣＦＲのみ（下りリンクデータに対するＡＣＫ／ＮＡＣＫなどは含まれてもよい）を送信するように要求する信号を含める方法について説明する。予めトランスポートフォーマットの一部が予約され、ある特定の情報列が物理下りリンク制御信号（ＰＤＣＣＨ）に含まれている場合には、チャネルフィードバックレポートＣＦＲのみを送信するように要求することが示される。（例えば５ビットのＭＣＳの値が１１１１１など。）または、単純に1ビット信号を物理下りリンク制御信号（ＰＤＣＣＨ）に含めて、チャネルフィードバックレポートＣＦＲのみを送信するように要求することが指示される。これをチャネルフィードバックレポート専用送信要求と呼ぶ。
【０１０８】
次に、パーシステントスケジューリングの活性化に使用される特別な物理下りリンク制御信号（ＰＤＣＣＨ）を説明する。基地局装置は、移動局装置に通常のダイナミックスケジューリングに使用されるセル無線網臨時識別子（Ｃ−ＲＮＴＩ）とは別に、パーシステントスケジューリングの活性化用であることを示す移動局識別子であるセル無線網臨時識別子（Ｃ−ＲＮＴＩ（ｓｐｅｃｉａｌ Ｃ−ＲＮＴＩともいう））または周期的チャネルフィードバックレポートの活性化用であることを示す移動局識別子であるセル無線網臨時識別子（Ｃ−ＲＮＴＩ（ｓｐｅｃｉａｌ Ｃ−ＲＮＴＩともいう））をＲＲＣシグナリングで割り当てる。若しくは、物理下りリンク制御信号（ＰＤＣＣＨ）にパーシステントスケジューリング（または周期的チャネルフィードバックレポート）の活性化用の特別なスクランブルコードが適用される。物理下りリンク制御信号（ＰＤＣＣＨ）に含まれる他の情報は、パーシステントスケジューリング用（または周期的チャネルフィードバック用）とダイナミックスケジューリング用とで同じである。
【０１０９】
すなわち、トランスポートフォーマット、リソース割り当て（ＰＲＢの割り当て）、ＨＡＲＱ情報、チャネルフィードバックレポート要求などが含まれる。すなわち、パーシステントスケジューリング（または周期的チャネルフィードバック用）の活性化用であることを示す移動局識別子の導入によって、パーシステントスケジューリング用（または周期的チャネルフィードバック用）に通常の物理下りリンク制御信号（ＰＤＣＣＨ）を使用することが可能となる。また、パーシステントスケジューリングと周期的チャネルフィードバックが同時に設定される場合には、同じセル無線網臨時識別子（Ｃ−ＲＮＴＩ）が使用される。これによって、パーシステントスケジューリングと周期的チャネルフィードバックの仕組みを共用することが可能となる。ただし、パーシステントスケジューリングと周期的チャネルフィードバック用に、別々のセル無線網臨時識別子（Ｃ−ＲＮＴＩ）を割り当てても良い。
【０１１０】
ここで、物理下りリンク制御信号（ＰＤＣＣＨ）のデコード方法について説明する。物理下りリンク制御信号（ＰＤＣＣＨ）は、複数のリソースエレメントのグループの集合で構成されており、対応するリソースエレメントのグループは、複数存在し、物理下りリンク制御信号（ＰＤＣＣＨ）に含まれるリソースエレメント数も複数存在し、符号化率が可変である。移動局装置は、物理下りリンク制御信号（ＰＤＣＣＨ）が配置される候補のすべてをデコードし、自局の移動局識別情報が含まれかつＣＲＣが成功していることによって、自局宛の物理下りリンク制御信号（ＰＤＣＣＨ）の特定およびデコードを行なう。この処理を、ブラインドデコーディングと呼ぶ。このブラインドデコーディングの数を減らすために、移動局識別子であるセル無線網臨時識別子（Ｃ−ＲＮＴＩ）をベースにハッシュ関数の出力で、物理下りリンク制御信号（ＰＤＣＣＨ）の検索空間（デコードすべきリソースエレメントのグループ）を制限する。
【０１１１】
しかし、上記のようにパーシステントスケジューリング用および／または周期的チャネルフィードバック用のセル無線網臨時識別子（Ｃ−ＲＮＴＩ）を新たに追加すると、この物理下りリンク制御信号（ＰＤＣＣＨ）の検索空間が増加してしまうため、ハッシュ関数の入力には、常にダイナミックスケジューリング用のセル無線網臨時識別子（Ｃ−ＲＮＴＩ）、すなわち通常、通信中の移動局装置に常に割り当てられるセル無線網臨時識別子（Ｃ−ＲＮＴＩ）を使用する。
【０１１２】
移動局装置が複数の移動局識別子を保持する場合（ここでは、パーシステントスケジューリング用セル無線網臨時識別子（Ｃ−ＲＮＴＩ）および／または周期的チャネルフィードバック用のセル無線網臨時識別子（Ｃ−ＲＮＴＩ）および／またはダイナミックスケジューリング用のセル無線網臨時識別子）、移動局装置は、一つの移動局識別子（ここでは、ダイナミックスケジューリング用のセル無線網臨時識別子）に応じた物理下りリンク制御信号（ＰＤＣＣＨ）の検索領域にて、複数の移動局識別子を検索する。基地局装置は、移動局装置に複数の移動局識別子を割り当てた場合、一つの移動局識別子に応じた物理下りリンク制御信号（ＰＤＣＣＨ）の検索領域に、それぞれの移動局識別子を含む物理下りリンク制御信号（ＰＤＣＣＨ）を配置する。
【０１１３】
これにより、移動局装置は、物理下りリンク制御信号（ＰＤＣＣＨ）の検索空間（検索領域ともいう）を維持しながら、別のパーシステントスケジューリング用または周期的チャネルフィードバック用のセル無線網臨時識別子（Ｃ−ＲＮＴＩ）を検索することになり、処理が軽減される。
【０１１４】
もう一つの方法としては、移動局装置は、物理下りリンク制御信号（ＰＤＣＣＨ）の検索空間を制限するため、報知情報やランダムアクセス応答などのスケジューリングに使用される物理下りリンク制御信号（ＰＤＣＣＨ）を配置する共通検索領域を使用する。共通検索領域は、ダイナミックスケジューリング用のセル無線網臨時識別子で制限される検索領域とは別に、常にすべての移動局装置が物理下りリンク制御信号（ＰＤＣＣＨ）を検索する必要のある検索領域である。移動局装置がダイナミックスケジューリング用のセル無線網臨時識別子）以外の移動局識別子を検索する場合、この共通検索領域で、パーシステントスケジューリング用セル無線網臨時識別子（Ｃ−ＲＮＴＩ）および／または周期的チャネルフィードバック用のセル無線網臨時識別子（Ｃ−ＲＮＴＩ）を検索する。基地局装置は、共通検索領域にパーシステントスケジューリング用セル無線網臨時識別子（Ｃ−ＲＮＴＩ）および／または周期的チャネルフィードバック用のセル無線網臨時識別子（Ｃ−ＲＮＴＩ）を含む物理下りリンク制御信号（ＰＤＣＣＨ）を配置する。
【０１１５】
これにより、移動局装置は、物理下りリンク制御信号（ＰＤＣＣＨ）の検索空間（検索領域ともいう）を維持しながら、別のパーシステントスケジューリング用または周期的チャネルフィードバック用のセル無線網臨時識別子（Ｃ−ＲＮＴＩ）を検索することになり、処理が軽減される。
【０１１６】
図７は、物理下りリンク制御信号（ＰＤＣＣＨ）の種類に応じた移動局装置の動作の例を示す図である。図７に示す動作は、移動局装置の物理層とＭＡＣ層が連携して制御される。ダイナミック用物理下りリンク制御信号（ＰＤＣＣＨ）に、チャネルフィードバックレポート専用送信要求が設定されている場合は、チャネルフィードバックレポートのみを、指定されたＰＵＳＣＨで非周期的にワンショット（１回の送信、または１回のＨＡＲＱプロセス）に送信する。
【０１１７】
ダイナミック用物理下りリンク制御信号（ＰＤＣＣＨ）に、チャネルフィードバックレポート要求が設定されている場合は、上りリンクデータ（ＵＬ−ＳＣＨ）とチャネルフィードバックレポートを、指定されたＰＵＳＣＨで非周期的にワンショットに送信する。ダイナミック用物理下りリンク制御信号（ＰＤＣＣＨ）に、チャネルフィードバックレポート要求もチャネルフィードバックレポート専用要求も設定されていない場合は、上りリンクデータ（ＵＬ−ＳＣＨ）を、指定されたＰＵＳＣＨで非周期的にワンショットに送信する。
【０１１８】
パーシステント用（または周期的チャネルフィードバック用）物理下りリンク制御信号（ＰＤＣＣＨ）に、チャネルフィードバックレポート専用送信要求が設定されている場合は、チャネルフィードバックレポートのみを、指定されたＰＵＳＣＨで周期的に持続的に送信する。この際のフィードバック周期は、ＲＲＣシグナリングで設定された周期的チャネルフィードバックレポートの送信周期となる。
【０１１９】
パーシステント用（または周期的チャネルフィードバック用）物理下りリンク制御信号（ＰＤＣＣＨ）に、チャネルフィードバックレポート要求が設定されている場合は、上りリンクデータ（ＵＬ−ＳＣＨ）とチャネルフィードバックレポートを、指定されたＰＵＳＣＨで周期的に持続的に送信する。この場合、上りリンクデータのパーシステントスケジューリングと周期的なチャネルフィードバックレポートが同時に設定されることになる。この際のフィードバック周期は、ＲＲＣシグナリングで設定された上りリンクデータのパーシステントスケジューリングの周期となる。
【０１２０】
パーシステント用（または周期的チャネルフィードバック用）物理下りリンク制御信号（ＰＤＣＣＨ）に、チャネルフィードバックレポート要求もチャネルフィードバックレポート専用要求も設定されていない場合は、上りリンクデータ（ＵＬ−ＳＣＨ）を、指定されたＰＵＳＣＨで周期的に持続的に送信する。この際のフィードバック周期は、ＲＲＣシグナリングで設定された上りリンクデータのパーシステントスケジューリングの周期となる。
【０１２１】
次に、上りリンクデータのパーシステントスケジューリングと周期的なチャネルフィードバックレポートの停止（非活性化）方法について説明する。上りリンクデータのパーシステントスケジューリングと周期的なチャネルフィードバックレポートの停止（非活性化）のため、“上りリンクリソース割り当てなし”の上りリンクグラントを物理下りリンク制御信号（ＰＤＣＣＨ）で送信する。ここで“上りリンクリソース割り当てなし”は、上りリンクグラントに含まれるリソース割り当て情報が予め定められた特別な値になっていることで識別される。
【０１２２】
パーシステント用（または周期的チャネルフィードバック用）物理下りリンク制御信号（ＰＤＣＣＨ）に、“上りリンクリソース割り当てなし”およびチャネルフィードバックレポート専用送信要求が設定されている場合は、周期的チャネルフィードバックレポートのみを停止する。
【０１２３】
パーシステント用（または周期的チャネルフィードバック用）物理下りリンク制御信号（ＰＤＣＣＨ）に、“上りリンクリソース割り当てなし”およびチャネルフィードバックレポート要求が設定されている場合は、使用中の上りリンクデータのパーシステントスケジューリングまたは周期的なチャネルフィードバックレポートを停止する。両方が使用されている場合は、上りリンクデータのパーシステントスケジューリングと周期的なチャネルフィードバックレポートを同時に停止する。
【０１２４】
パーシステント用（または周期的チャネルフィードバック用）物理下りリンク制御信号（ＰＤＣＣＨ）に、“上りリンクリソース割り当てなし”が設定され、チャネルフィードバックレポート要求もチャネルフィードバックレポート専用要求も設定されていない場合は、上りリンクデータのパーシステントスケジューリングのみを停止する。
【０１２５】
図８は、物理下りリンク制御信号（ＰＤＣＣＨ）の種類に応じた移動局装置の動作の別の例を示す図である。ダイナミック用物理下りリンク制御信号（ＰＤＣＣＨ）に、チャネルフィードバックレポート要求が設定されていなくて、チャネルフィードバックレポート専用送信要求が設定されている場合は、チャネルフィードバックレポートのみを、指定されたＰＵＳＣＨで周期的に持続的に送信する。この際のフィードバック周期は、ＲＲＣシグナリングで設定された周期的チャネルフィードバックレポートの送信周期となる。これにより、パーシステント用物理下りリンク制御信号（ＰＤＣＣＨ）を使用することなく周期的チャネルフィードバックレポートを活性化することが可能となる。
【０１２６】
ダイナミック用物理下りリンク制御信号（ＰＤＣＣＨ）に、チャネルフィードバックレポート要求が設定されていて、チャネルフィードバックレポート専用送信要求が設定されていない場合は、上りリンクデータ（ＵＬ−ＳＣＨ）とチャネルフィードバックレポートを、指定されたＰＵＳＣＨで非周期的にワンショットに送信する。ダイナミック用物理下りリンク制御信号（ＰＤＣＣＨ）に、チャネルフィードバックレポート要求もチャネルフィードバックレポート専用要求も設定されている場合は、チャネルフィードバックレポートのみを、指定されたＰＵＳＣＨで非周期的にワンショットに送信する。
【０１２７】
ダイナミック用物理下りリンク制御信号（ＰＤＣＣＨ）に、チャネルフィードバックレポート要求もチャネルフィードバックレポート専用要求も設定されていない場合は、上りリンクデータ（ＵＬ−ＳＣＨ）を、指定されたＰＵＳＣＨで非周期的にワンショットに送信する。
【０１２８】
パーシステント用（または周期的チャネルフィードバック用）物理下りリンク制御信号（ＰＤＣＣＨ）に、チャネルフィードバックレポート要求が設定されていなくて、チャネルフィードバックレポート専用送信要求が設定されている場合は、物理下りリンク制御信号（ＰＤＣＣＨ）は、他の用途に使用される。
【０１２９】
パーシステント用（または周期的チャネルフィードバック用）物理下りリンク制御信号（ＰＤＣＣＨ）に、チャネルフィードバックレポート要求が設定されていて、チャネルフィードバックレポート専用送信要求が設定されていない場合は、上りリンクデータ（ＵＬ−ＳＣＨ）とチャネルフィードバックレポートを、指定されたＰＵＳＣＨで周期的に持続的に送信する。この場合、上りリンクデータ（ＵＬ−ＳＣＨ）のパーシステントスケジューリングと周期的なチャネルフィードバックレポートが同時に設定されることになる。この際のフィードバック周期は、ＲＲＣシグナリングで設定された上りリンクデータ（ＵＬ−ＳＣＨ）のパーシステントスケジューリングの周期となる。
【０１３０】
これにより、上りリンクデータ（ＵＬ−ＳＣＨ）と同時にチャネルフィードバックレポートが可能となり、リソースおよび消費電力の有効活用ができる。別の方法としては、この際のフィードバック周期は、ＲＲＣシグナリングで設定された上りリンクデータ（ＵＬ−ＳＣＨ）のパーシステントスケジューリングの周期と周期的チャネルフィードバックレポートの送信周期を同時に適用する。これにより、一回の物理下りリンク制御信号（ＰＤＣＣＨ）によって、上りリンクデータ（ＵＬ−ＳＣＨ）のパーシステントスケジューリングの周期と周期的チャネルフィードバックレポートの同時活性化が可能となる。
【０１３１】
パーシステント用（または周期的チャネルフィードバック用）物理下りリンク制御信号（ＰＤＣＣＨ）に、チャネルフィードバックレポート要求もチャネルフィードバックレポート専用送信要求も設定されている場合は、チャネルフィードバックレポートのみを、指定されたＰＵＳＣＨで周期的に持続的に送信する。この際のフィードバック周期は、ＲＲＣシグナリングで設定された周期的チャネルフィードバックレポートの送信周期となる。
【０１３２】
パーシステント用（または周期的チャネルフィードバック用）物理下りリンク制御信号（ＰＤＣＣＨ）に、チャネルフィードバックレポート要求もチャネルフィードバックレポート専用要求も設定されていない場合は、上りリンクデータ（ＵＬ−ＳＣＨ）を、指定されたＰＵＳＣＨで周期的に持続的に送信する。この際のフィードバック周期は、ＲＲＣシグナリングで設定された上りリンクデータのパーシステントスケジューリングの周期となる。
【０１３３】
次に、上りリンクデータのパーシステントスケジューリングと周期的なチャネルフィードバックレポートの停止（非活性化）方法について説明する。上りリンクデータのパーシステントスケジューリングと周期的なチャネルフィードバックレポートの停止（非活性化）のため、“上りリンクリソース割り当てなし”の上りリンクグラントを物理下りリンク制御信号（ＰＤＣＣＨ）で送信する。ここで“上りリンクリソース割り当てなし”は、上りリンクグラントに含まれるリソース割り当て情報が予め定められた特別な値になっていることで識別される。
【０１３４】
ダイナミック用物理下りリンク制御信号（ＰＤＣＣＨ）に、チャネルフィードバックレポート要求が設定されていなくて、“上りリンクリソース割り当てなし”およびチャネルフィードバックレポート専用送信要求が設定されている場合は、周期的チャネルフィードバックレポートのみを停止する。
【０１３５】
パーシステント用（または周期的チャネルフィードバック用）物理下りリンク制御信号（ＰＤＣＣＨ）に、チャネルフィードバックレポート要求が設定されていなくて、“上りリンクリソース割り当てなし”およびチャネルフィードバックレポート専用送信要求が設定されている場合は、使用中の上りリンクデータのパーシステントスケジューリングまたは周期的なチャネルフィードバックレポートを停止する。両方が使用されている場合は、上りリンクデータのパーシステントスケジューリングと周期的なチャネルフィードバックレポートを同時に停止する。
【０１３６】
パーシステント用（または周期的チャネルフィードバック用）物理下りリンク制御信号（ＰＤＣＣＨ）に、“上りリンクリソース割り当てなし”およびチャネルフィードバックレポート要求が設定されていて、チャネルフィードバックレポート専用送信要求が設定されていない場合は、使用中の上りリンクデータのパーシステントスケジューリングまたは周期的なチャネルフィードバックレポートを停止する。両方が使用されている場合は、上りリンクデータのパーシステントスケジューリングと周期的なチャネルフィードバックレポートを同時に停止する。
【０１３７】
パーシステント用（または周期的チャネルフィードバック用）物理下りリンク制御信号（ＰＤＣＣＨ）に、“上りリンクリソース割り当てなし”もチャネルフィードバックレポート要求もチャネルフィードバックレポート専用送信要求も設定されている場合は、周期的チャネルフィードバックレポートのみを停止する。
【０１３８】
パーシステント用（または周期的チャネルフィードバック用）物理下りリンク制御信号（ＰＤＣＣＨ）に、“上りリンクリソース割り当てなし”が設定されていて、チャネルフィードバックレポート要求もチャネルフィードバックレポート専用要求も設定されていない場合は、上りリンクデータのパーシステントスケジューリングのみを停止する。
【０１３９】
図９は、物理下りリンク制御信号（ＰＤＣＣＨ）の種類に応じた移動局装置の動作の別の例を示す図である。この例では、パーシステントスケジューリングと周期的チャネルフィードバック用に、別々のセル無線網臨時識別子（Ｃ−ＲＮＴＩ）が割り当てられる。図９に示す動作は、移動局装置の物理層とＭＡＣ層が連携して制御される。ダイナミック用物理下りリンク制御信号（ＰＤＣＣＨ）に、チャネルフィードバックレポート専用送信要求が設定されている場合は、チャネルフィードバックレポートのみを、指定されたＰＵＳＣＨで非周期的にワンショット（１回の送信、または１回のＨＡＲＱプロセス）に送信する。
【０１４０】
ダイナミック用物理下りリンク制御信号（ＰＤＣＣＨ）に、チャネルフィードバックレポート要求が設定されている場合は、上りリンクデータ（ＵＬ−ＳＣＨ）とチャネルフィードバックレポートを、指定されたＰＵＳＣＨで非周期的にワンショットに送信する。ダイナミック用物理下りリンク制御信号（ＰＤＣＣＨ）に、チャネルフィードバックレポート要求もチャネルフィードバックレポート専用要求も設定されていない場合は、上りリンクデータ（ＵＬ−ＳＣＨ）を、指定されたＰＵＳＣＨで非周期的にワンショットに送信する。
【０１４１】
パーシステント用物理下りリンク制御信号（ＰＤＣＣＨ）に、チャネルフィードバックレポート要求が設定されている場合は、上りリンクデータ（ＵＬ−ＳＣＨ）とチャネルフィードバックレポートを、指定されたＰＵＳＣＨで周期的に持続的に送信する。この場合、上りリンクデータのパーシステントスケジューリングと周期的なチャネルフィードバックレポートが同時に設定されることになる。この際のフィードバック周期は、ＲＲＣシグナリングで設定された上りリンクデータのパーシステントスケジューリングの周期となる。
【０１４２】
パーシステント用物理下りリンク制御信号（ＰＤＣＣＨ）に、チャネルフィードバックレポート要求もチャネルフィードバックレポート専用要求も設定されていない場合は、上りリンクデータ（ＵＬ−ＳＣＨ）を、指定されたＰＵＳＣＨで周期的に持続的に送信する。この際のフィードバック周期は、ＲＲＣシグナリングで設定された上りリンクデータのパーシステントスケジューリングの周期となる。
【０１４３】
周期的チャネルフィードバック用物理下りリンク制御信号（ＰＤＣＣＨ）を受信した場合には、上りリンクデータ（ＵＬ−ＳＣＨ）を含まずにチャネルフィードバックレポートのみを、指定されたＰＵＳＣＨで周期的に持続的に送信する。この際のフィードバック周期は、ＲＲＣシグナリングで設定された周期的チャネルフィードバックレポートの送信周期となる。
【０１４４】
次に、上りリンクデータのパーシステントスケジューリングと周期的なチャネルフィードバックレポートの停止（非活性化）方法について説明する。上りリンクデータのパーシステントスケジューリングと周期的なチャネルフィードバックレポートの停止（非活性化）のため、“上りリンクリソース割り当てなし”の上りリンクグラントを物理下りリンク制御信号（ＰＤＣＣＨ）で送信する。ここで“上りリンクリソース割り当てなし”は、上りリンクグラントに含まれるリソース割り当て情報が予め定められた特別な値になっていることで識別される。
【０１４５】
パーシステント用物理下りリンク制御信号（ＰＤＣＣＨ）に、“上りリンクリソース割り当てなし”およびチャネルフィードバックレポート要求が設定されている場合は、使用中の上りリンクデータのパーシステントスケジューリングまたは周期的なチャネルフィードバックレポートを停止する。両方が使用されている場合は、上りリンクデータのパーシステントスケジューリングと周期的なチャネルフィードバックレポートを同時に停止する。
【０１４６】
パーシステント用物理下りリンク制御信号（ＰＤＣＣＨ）に、“上りリンクリソース割り当てなし”が設定され、チャネルフィードバックレポート要求もチャネルフィードバックレポート専用要求も設定されていない場合は、上りリンクデータのパーシステントスケジューリングのみを停止する。
【０１４７】
周期的チャネルフィードバック用物理下りリンク制御信号（ＰＤＣＣＨ）に、“上りリンクリソース割り当てなし”が設定されている場合は、周期的チャネルフィードバックレポートを停止する。
【０１４８】
第１の実施形態では、周期的チャネルフィードバックレポートおよび上りリンクのパーシステントスケジューリングのＰＵＳＣＨの時間タイミングについて、上りリンク送信許可信号に対応するタイミングのサブフレームのＰＵＳＣＨを使用することを前提としている。これにより、動的に高速にリソースの割り当てが可能となる。
【０１４９】
一方、ＲＲＣシグナリングでサブフレームオフセットを設定しても良い。周期的チャネルフィードバックレポートのサブフレームオフセットと、上りリンクデータのパーシステントスケジューリングのサブフレームオフセットが設定される。この場合は、周期的チャネルフィードバックレポートおよび上りリンクのパーシステントスケジューリングのＰＵＳＣＨの時間タイミングがＲＲＣシグナリングで指定されることになる。これにより、より堅牢なリソースの割り当てが可能となる。
【０１５０】
図１０は、図７に示すダイナミック用物理下りリンク制御信号（ＰＤＣＣＨ）に対応する移動局装置と基地局装置の信号の送受信の例を示す図である。Ｄ−ｓｕｂｆｒａｍｅ＃２で基地局装置は、移動局装置宛のダイナミック用の上りリンクグラントを物理下りリンク制御信号（ＰＤＣＣＨ）で送信する。この上りリンクグラントには、チャネルフィードバックレポート専用要求が含まれる。Ｄ−ｓｕｂｆｒａｍｅ＃２でチャネルフィードバックレポート専用要求を受信した移動局装置は、Ｕ−ｓｕｂｆｒａｍｅ＃６でチャネルフィードバックレポートＣＦＲのみを含んだＰＵＳＣＨで上りリンク送信を行なう。
【０１５１】
Ｄ−ｓｕｂｆｒａｍｅ＃８で基地局装置は、移動局装置宛のダイナミック用の上りリンクグラントを物理下りリンク制御信号（ＰＤＣＣＨ）で送信する。この上りリンクグラントには、チャネルフィードバックレポート要求が含まれる。Ｄ−ｓｕｂｆｒａｍｅ＃８でチャネルフィードバックレポート要求を受信した移動局装置は、Ｕ−ｓｕｂｆｒａｍｅ＃１２でチャネルフィードバックレポートＣＦＲと上りリンクデータ（ＵＬ−ＳＣＨ）を含んだＰＵＳＣＨで上りリンク送信を行なう。
【０１５２】
Ｄ−ｓｕｂｆｒａｍｅ＃１４で基地局装置は、移動局装置宛のダイナミック用の上りリンクグラントを物理下りリンク制御信号（ＰＤＣＣＨ）で送信する。この上りリンクグラントには、チャネルフィードバックレポート要求もチャネルフィードバックレポート専用要求も含まれない。Ｄ−ｓｕｂｆｒａｍｅ＃１４で上りリンクグラントを受信した移動局装置は、Ｕ−ｓｕｂｆｒａｍｅ＃１８でチャネルフィードバックレポートＣＦＲを含まないＰＵＳＣＨで上りリンク送信を行なう。
【０１５３】
図１１は、図７に示すパーシステント用（または周期的チャネルフィードバック用）物理下りリンク制御信号（ＰＤＣＣＨ）でチャネルフィードバックレポート専用要求が指定された場合に対応する移動局装置と基地局装置の信号の送受信の例を示す図である。移動局装置と基地局装置は、予めＲＲＣシグナリングの送受信により、周期的チャネルフィードバックレポートのための設定を行なう。この設定には、周期的チャネルフィードバックレポートの活性化用であることを示す移動局識別子であるセル無線網臨時識別子（Ｃ−ＲＮＴＩ）と、周期的フィードバックレポートのレポーティングフォーマット（広帯域レポート、移動局選択サブバンドレポート、基地局選択サブバンドレポートなど）、フィードバック周期（送信間隔）などが含まれる。
【０１５４】
Ｄ−ｓｕｂｆｒａｍｅ＃２で基地局装置は、移動局装置宛の周期的チャネルフィードバック用の上りリンクグラントを物理下りリンク制御信号（ＰＤＣＣＨ）で送信する。この上りリンクグラントには、チャネルフィードバックレポート専用要求が含まれる。Ｄ−ｓｕｂｆｒａｍｅ＃２でチャネルフィードバックレポート専用要求を受信した移動局装置は、Ｕ−ｓｕｂｆｒａｍｅ＃６から２サブフレーム間隔（ＲＲＣシグナリングで送信間隔２サブフレーム（２ｍｓ）が設定されたことを想定）でチャネルフィードバックレポートＣＦＲのみを含んだＰＵＳＣＨで上りリンク送信を行なう。
【０１５５】
Ｄ−ｓｕｂｆｒａｍｅ＃１８で基地局装置は、“上りリンクリソース割り当てなし”の周期的チャネルフィードバック用の上りリンクグラントを物理下りリンク制御信号（ＰＤＣＣＨ）で送信する。ここで“上りリンクリソース割り当てなし”は、上りリンクグラントに含まれるリソース割り当て情報が予め定められた特別な値になっていることで識別される。Ｄ−ｓｕｂｆｒａｍｅ＃１８で“上りリンクリソース割り当てなし”の周期的チャネルフィードバック用の上りリンクグラントを受信した移動局装置は、周期的チャネルフィードバックを停止する。
【０１５６】
図１２は、図７に示すパーシステント用（または周期的チャネルフィードバック用）物理下りリンク制御信号（ＰＤＣＣＨ）でチャネルフィードバックレポート要求が指定された場合に対応する移動局装置と基地局装置の信号の送受信の例を示す図である。移動局装置と基地局装置は、予めＲＲＣシグナリングの送受信により、周期的チャネルフィードバックレポートのための設定を行なう。この設定には、周期的フィードバックレポートのレポーティングフォーマット（広帯域レポート、移動局選択サブバンドレポート、基地局選択サブバンドレポートなど）、フィードバック周期（送信間隔）などが含まれる。
【０１５７】
また、移動局装置と基地局装置は、予めＲＲＣシグナリングの送受信により、パーシステントスケジューリングのための設定を行なう。この設定には、パーシステントスケジューリングの活性化用であることを示す移動局識別子であるセル無線網臨時識別子（Ｃ−ＲＮＴＩ）と、周期（送信間隔）などが含まれる。以下、ＲＲＣシグナリングでチャネルフィードバックレポート周期５サブフレーム（５ｍｓ）、パーシステントスケジューリング周期１０サブフレーム（１０ｍｓ）が設定されたことを想定する。
【０１５８】
Ｄ−ｓｕｂｆｒａｍｅ＃２で基地局装置は、移動局装置宛のパーシステント用の上りリンクグラントを物理下りリンク制御信号（ＰＤＣＣＨ）で送信する。この上りリンクグラントには、チャネルフィードバックレポート要求が含まれる。Ｄ−ｓｕｂｆｒａｍｅ＃２でチャネルフィードバックレポート要求を受信した移動局装置は、Ｕ−ｓｕｂｆｒａｍｅ＃１１から１０サブフレーム間隔でチャネルフィードバックレポートＣＦＲのみ、Ｕ−ｓｕｂｆｒａｍｅ＃６から１０サブフレーム間隔でチャネルフィードバックレポートＣＦＲと上りリンクデータ（ＵＬ−ＳＣＨ）を含んだＰＵＳＣＨで上りリンク送信を行なう。
【０１５９】
すなわち、チャネルフィードバックレポート送信サブフレームと、パーシステントスケジューリング送信サブフレームとが重なったサブフレームではチャネルフィードバックレポートＣＦＲと上りリンクデータをＰＵＳＣＨで同時に送信する。Ｄ−ｓｕｂｆｒａｍｅ＃３０で基地局装置は、“上りリンクリソース割り当てなし”のパーシステント用の上りリンクグラントを物理下りリンク制御信号（ＰＤＣＣＨ）で送信する。ここで“上りリンクリソース割り当てなし”は、上りリンクグラントに含まれるリソース割り当て情報が予め定められた特別な値になっていることで識別される。
【０１６０】
Ｄ−ｓｕｂｆｒａｍｅ＃３０で“上りリンクリソース割り当てなし”のパーシステント用の上りリンクグラントを受信した移動局装置は、周期的チャネルフィードバックおよび／またはパーシステントリソースでの上りリンクデータ（ＵＬ−ＳＣＨ）の送信を停止する。どちらを停止するかは、パーシステント用の上りリンクグラントに含まれる。チャネルフィードバックレポート要求およびチャネルフィードバックレポート専用要求および“上りリンクリソース割り当てなし”のコンビネーションによって決定される。
【０１６１】
図１３は、図７に示すパーシステント用（または周期的チャネルフィードバック用）物理下りリンク制御信号（ＰＤＣＣＨ）でチャネルフィードバックレポート要求が指定された場合に対応する移動局装置と基地局装置の信号の送受信の別の例を示す図である。移動局装置と基地局装置は、予めＲＲＣシグナリングの送受信により、周期的チャネルフィードバックレポートのための設定を行なう。この設定には、周期的フィードバックレポートのレポーティングフォーマット（広帯域レポート、移動局選択サブバンドレポート、基地局選択サブバンドレポートなど）、フィードバック周期（送信間隔）などが含まれる。
【０１６２】
また、移動局装置と基地局装置は、予めＲＲＣシグナリングの送受信により、パーシステントスケジューリングのための設定を行なう。この設定には、パーシステントスケジューリングの活性化用であることを示す移動局識別子であるセル無線網臨時識別子（Ｃ−ＲＮＴＩ）と、周期（送信間隔）などが含まれる。以下、ＲＲＣシグナリングでチャネルフィードバックレポート周期５サブフレーム（５ｍｓ）、パーシステントスケジューリング周期１０サブフレーム（１０ｍｓ）が設定されたことを想定する。
【０１６３】
Ｄ−ｓｕｂｆｒａｍｅ＃２で基地局装置は、移動局装置宛のパーシステント用の上りリンクグラントを物理下りリンク制御信号（ＰＤＣＣＨ）で送信する。この上りリンクグラントには、チャネルフィードバックレポート要求が含まれる。Ｄ−ｓｕｂｆｒａｍｅ＃２でチャネルフィードバックレポート要求を受信した移動局装置は、Ｕ−ｓｕｂｆｒａｍｅ＃６から１０サブフレーム間隔でチャネルフィードバックレポートＣＦＲと上りリンクデータ（ＵＬ−ＳＣＨ）を含んだＰＵＳＣＨで上りリンク送信を行なう。
【０１６４】
すなわち、パーシステントスケジューリング送信サブフレームでのみチャネルフィードバックレポートＣＦＲが送信される。Ｄ−ｓｕｂｆｒａｍｅ＃３０で基地局装置は、“上りリンクリソース割り当てなし”の周期的チャネルフィードバック用の上りリンクグラントを物理下りリンク制御信号（ＰＤＣＣＨ）で送信する。ここで“上りリンクリソース割り当てなし”は、上りリンクグラントに含まれるリソース割り当て情報が予め定められた特別な値になっていることで識別される。
【０１６５】
Ｄ−ｓｕｂｆｒａｍｅ＃３０で“上りリンクリソース割り当てなし”のパーシステント用の上りリンクグラントを受信した移動局装置は、周期的チャネルフィードバックおよび／またはパーシステントリソースでの上りリンクデータ（ＵＬ−ＳＣＨ）の送信を停止する。どちらを停止するかは、パーシステント用の上りリンクグラントに含まれる。チャネルフィードバックレポート要求およびチャネルフィードバックレポート専用要求および“上りリンクリソース割り当てなし”のコンビネーションによって決定される。
【０１６６】
図１４は、図７に示すパーシステント用（または周期的チャネルフィードバック用）物理下りリンク制御信号（ＰＤＣＣＨ）でチャネルフィードバックレポート専用要求が指定された場合に対応する移動局装置と基地局装置の信号の送受信の例を示す図である。移動局装置と基地局装置は、予めＲＲＣシグナリングの送受信により、パーシステントスケジューリングのための設定を行なう。この設定には、パーシステントスケジューリングの活性化用であることを示す移動局識別子であるセル無線網臨時識別子（Ｃ−ＲＮＴＩ）と、周期（送信間隔）などが含まれる。
【０１６７】
Ｄ−ｓｕｂｆｒａｍｅ＃２で基地局装置は、移動局装置宛のパーシステント用の上りリンクグラントを物理下りリンク制御信号（ＰＤＣＣＨ）で送信する。この上りリンクグラントには、チャネルフィードバックレポート要求もチャネルフィードバックレポート専用要求も含まれない。Ｄ−ｓｕｂｆｒａｍｅ＃２で通常のパーシステント用の上りリンクグラントを受信した移動局装置は、Ｕ−ｓｕｂｆｒａｍｅ＃６から２サブフレーム間隔（ＲＲＣシグナリングで送信間隔１０サブフレーム（１０ｍｓが設定されたことを想定）で、チャネルフィードバックレポートＣＦＲを含まずに上りリンクデータ（ＵＬ−ＳＣＨ）をＰＵＳＣＨで上りリンク送信を行なう。Ｄ−ｓｕｂｆｒａｍｅ＃１８で“上りリンクリソース割り当てなし”のパーシステント用の上りリンクグラントを物理下りリンク制御信号（ＰＤＣＣＨ）で送信する。
【０１６８】
ここで“上りリンクリソース割り当てなし”は、上りリンクグラントに含まれるリソース割り当て情報が予め定められた特別な値になっていることで識別される。Ｄ−ｓｕｂｆｒａｍｅ＃１８で“上りリンクリソース割り当てなし”のパーシステント用の上りリンクグラントを受信した移動局装置は、パーシステントリソースでの上りリンクデータ（ＵＬ−ＳＣＨ）の送信を停止する。
【０１６９】
なお、パーシステントリソースでの上りリンクデータ（ＵＬ−ＳＣＨ）の送信や、周期的チャネルフィードバックの送信のサブフレームで、一時的なチャネルフィードバックレポートが要求された場合、その一時的なチャネルフィードバックレポートを要求する上りリンクグラントに応じたリソースで、上りリンクデータ（ＵＬ−ＳＣＨ）および一時的なチャネルフィードバックレポートを送信する。すなわち、一時的なチャネルフィードバックレポートは、パーシステントリソースでの上りリンクデータ（ＵＬ−ＳＣＨ）の送信や、周期的チャネルフィードバックの送信を上書きする。
【０１７０】
また、パーシステントリソースでの上りリンクデータ（ＵＬ−ＳＣＨ）の送信や、周期的チャネルフィードバックの送信のサブフレームで、一時的なチャネルフィードバックレポート専用送信が要求された場合、その一時的なチャネルフィードバックレポートを要求する上りリンクグラントに応じたリソースで、上りリンクデータ（ＵＬ−ＳＣＨ）を含まないで一時的なチャネルフィードバックレポートを送信する。また、パーシステントリソースでの上りリンクデータ（ＵＬ−ＳＣＨ）の送信のサブフレームで、一時的なチャネルフィードバックレポート要求を含まない上りリンクグラントを受信した場合、上りリンクグラントに応じたリソースで、上りリンクデータ（ＵＬ−ＳＣＨ）を送信する。また、周期的チャネルフィードバックの送信のサブフレームで、一時的なチャネルフィードバックレポート要求を含まない上りリンクグラントを受信した場合、上りリンクグラントに応じたリソースで、周期的チャネルフィードバックレポートを送信する。
【０１７１】
図１０から図１４は、図７に示すパーシステント用（または周期的チャネルフィードバック用）物理下りリンク制御信号（ＰＤＣＣＨ）の解釈をベースに説明したが、図８および図９のパーシステント用（または周期的チャネルフィードバック用）物理下りリンク制御信号（ＰＤＣＣＨ）にも容易に適用できる。
【０１７２】
以上説明したように、第１の実施形態によれば、上りリンクデータのためのＰＵＳＣＨのパーシステントスケジューリングと周期的なチャネルフィードバックレポートＣＦＲのためのＰＵＳＣＨの持続的な割り当てとを共通の指示信号を使って活性化することが可能となる。これにより、システムの設計が簡略化できる。また、基地局装置は、上りリンクリソースの使用状況、下りリンクチャネル状態、下りリンクデータバッファの量などに応じて、動的に持続的なチャネルフィードバックレポートと一時的なチャネルフィードバックレポートを切り替えることが可能となる。また、周期的なチャネルフィードバックと非周期的なチャネルフィードバックを動的に起動することが可能となる。また、チャネルフィードバックのみの送信とチャネルフィードバックと上りリンクデータの同時送信を動的変更することが可能となる。
【０１７３】
（第２の実施形態）
第１の実施形態においては、説明の都合上、基地局装置と移動局装置とが一対一の場合を例にとって説明したが、基地局装置および移動局装置は複数であっても良いことはもちろんである。また、移動局装置とは、移動する端末に限らず、基地局装置や固定端末に移動局装置の機能を実装することがあっても良い。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１７４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１７５】
以上説明したように、本実施形態では、次のような構成を採ることができる。すなわち、本実施形態に係る移動局装置は、基地局装置から受信した上りリンクリソース割り当てを行なう下りリンク制御信号に含まれる情報に基づいて、持続的に割り当てられた上りリンクリソースまたは一時的に割り当てられた上りリンクリソースのいずれか一方を、チャネルフィードバックレポートを送信するための上りリンクリソースとして選択することを特徴としている。
【０１７６】
このように、下りリンク制御信号に含まれる情報に基づいて、持続的に割り当てられた上りリンクリソースまたは一時的に割り当てられた上りリンクリソースのいずれか一方を、チャネルフィードバックレポートを送信するための上りリンクリソースとして選択するので、持続的または一時的に割り当てられた上りリンクリソースを効率的に切り替えることができる。基地局装置は、上りリンクリソースの使用状況、下りリンクチャネル状態、下りリンクデータバッファの量などに応じて、動的に持続的または一時的なチャネルフィードバックレポートを切り替えることが可能となる。その結果、移動局装置は、効率的な信号を使用してチャネルフィードバックレポートを基地局装置に対して送信することができる。さらに、システムの設計を簡略化させることが可能となる。
【０１７７】
また、本実施形態に係る移動局装置は、前記下りリンク制御信号に、チャネルフィードバックレポートを要求する情報が含まれている場合は、持続的に割り当てられた上りリンクリソースで、上りリンクデータおよびチャネルフィードバックレポートを前記基地局装置に対して送信する一方、前記下りリンク制御信号に、チャネルフィードバックレポートを要求する情報が含まれていない場合は、持続的に割り当てられた上りリンクリソースで、上りリンクデータを前記基地局装置に対して送信することを特徴としている。
【０１７８】
このように、下りリンク制御信号に、チャネルフィードバックレポートを要求する情報が含まれている場合は、持続的に割り当てられた上りリンクリソースで、上りリンクデータおよびチャネルフィードバックレポートを基地局装置に対して送信するので、上りリンクデータのパーシステントスケジューリングと周期的なチャネルフィードバックレポートが同時に設定されることとなり、両者の仕組みを共用することが可能となる。また、上りリンクデータと同時にチャネルフィードバックレポートを送信するので、リソースおよび消費電力を有効に活用することが可能となる。また、下りリンク制御信号に、チャネルフィードバックレポートを要求する情報が含まれていない場合は、持続的に割り当てられた上りリンクリソースで、上りリンクデータを基地局装置に対して送信するので、チャネルフィードバックレポートと上りリンクデータとの同時送信と、上りリンクデータのみの送信とを動的に切り替えることが可能となる。
【０１７９】
また、本実施形態に係る移動局装置は、前記下りリンク制御信号に、上りリンクデータを含まず、チャネルフィードバックレポートのみを要求する情報が含まれている場合は、持続的に割り当てられた上りリンクリソースで、チャネルフィードバックレポートを前記基地局装置に対して送信することを特徴としている。
【０１８０】
このように、下りリンク制御信号に、上りリンクデータを含まず、チャネルフィードバックレポートのみを要求する情報が含まれている場合は、持続的に割り当てられた上りリンクリソースで、チャネルフィードバックレポートを基地局装置に対して送信するので、チャネルフィードバックレポートのみの送信とチャネルフィードバックレポートと上りリンクデータとの同時送信を動的に切り替えることが可能となる。また、移動局装置は、効率的な信号を使用してチャネルフィードバックレポートを基地局装置に対して送信することができる。
【０１８１】
また、本実施形態に係る移動局装置は、前記下りリンク制御信号に、リソース割り当てがない旨を示す情報が含まれている場合は、持続的に割り当てられた上りリンクリソースで、チャネルフィードバックレポートを前記基地局装置に対して送信する動作を停止することを特徴としている。
【０１８２】
このように、下りリンク制御信号に、リソース割り当てがない旨を示す情報が含まれている場合は、持続的に割り当てられた上りリンクリソースで、チャネルフィードバックレポートを基地局装置に対して送信する動作を停止するので、チャネルフィードバックレポートの送信および送信停止を動的に切り替えることが可能となる。
【０１８３】
また、本実施形態に係る移動局装置は、基地局装置との間で無線通信を行なう移動局装置であって、基地局装置から、上りリンクリソース割り当てを行なう下りリンク制御信号を受信する移動局側受信部と、前記下りリンク制御信号に含まれる情報に基づいて、持続的に割り当てられた上りリンクリソースまたは一時的に割り当てられた上りリンクリソースのいずれか一方を、チャネルフィードバックレポートを前記基地局装置に対して送信するリソースとして選択する選択部と、前記選択した上りリンクリソースでチャネルフィードバックレポートを前記基地局装置に対して送信する移動局側送信部と、を備えることを特徴としている。
【０１８４】
このように、下りリンク制御信号に含まれる情報に基づいて、持続的に割り当てられた上りリンクリソースまたは一時的に割り当てられた上りリンクリソースのいずれか一方を、チャネルフィードバックレポートを送信するための上りリンクリソースとして選択するので、持続的または一時的に割り当てられた上りリンクリソースを効率的に切り替えることができる。その結果、移動局装置は、効率的な信号を使用してチャネルフィードバックレポートを基地局装置に対して送信することができる。さらに、システムの設計を簡略化させることが可能となる。
【０１８５】
また、本実施形態に係る基地局装置は、移動局装置に対して、持続的に割り当てられた上りリンクリソースまたは一時的に割り当てられた上りリンクリソースのいずれか一方を、チャネルフィードバックレポートを送信するための上りリンクリソースとして選択させる情報を、上りリンクリソース割り当てを行なう下りリンク制御信号に含めて送信することを特徴としている。
【０１８６】
このように、移動局装置に対して、持続的に割り当てられた上りリンクリソースまたは一時的に割り当てられた上りリンクリソースのいずれか一方を、チャネルフィードバックレポートを送信するための上りリンクリソースとして選択させる情報を、上りリンクリソース割り当てを行なう下りリンク制御信号に含めて送信するので、持続的または一時的に割り当てられた上りリンクリソースを効率的に切り替えることができる。その結果、効率的な信号を使用してチャネルフィードバックレポートを送信することを移動局装置に対して要求することができる。さらに、システムの設計を簡略化させることが可能となる。
【０１８７】
また、本実施形態に係る基地局装置は、前記下りリンク制御信号に、チャネルフィードバックレポートを要求する情報を含めることによって、前記移動局装置に対して、持続的に割り当てられた上りリンクリソースで、上りリンクデータおよびチャネルフィードバックレポートを送信する要求を行なう一方、前記下りリンク制御信号に、チャネルフィードバックレポートを要求する情報を含めないことによって、前記移動局装置に対して、持続的に割り当てられた上りリンクリソースで、上りリンクデータを送信する要求を行なうことを特徴としている。
【０１８８】
このように、下りリンク制御信号に、チャネルフィードバックレポートを要求する情報を含めることによって、移動局装置に対して、持続的に割り当てられた上りリンクリソースで、上りリンクデータおよびチャネルフィードバックレポートを送信する要求を行なうので、移動局装置において、上りリンクデータのパーシステントスケジューリングと周期的なチャネルフィードバックレポートが同時に設定されることとなり、両者の仕組みを共用することが可能となる。また、移動局装置に対して、上りリンクデータと同時にチャネルフィードバックレポートを送信させるので、リソースおよび消費電力を有効に活用することが可能となる。また、下りリンク制御信号に、チャネルフィードバックレポートを要求する情報を含めないことによって、移動局装置に対して、持続的に割り当てられた上りリンクリソースで、上りリンクデータを送信する要求を行なうので、移動局装置に対して、チャネルフィードバックレポートと上りリンクデータとの同時送信と、上りリンクデータのみの送信とを動的に切り替えさせることが可能となる。
【０１８９】
また、本実施形態に係る基地局装置は、前記下りリンク制御信号に、上りリンクデータを含まず、チャネルフィードバックレポートのみを要求する情報を含めることによって、前記移動局装置に対して、持続的に割り当てられた上りリンクリソースで、チャネルフィードバックレポートを送信する要求を行なうことを特徴としている。
【０１９０】
このように、下りリンク制御信号に、上りリンクデータを含まず、チャネルフィードバックレポートのみを要求する情報を含めることによって、移動局装置に対して、持続的に割り当てられた上りリンクリソースで、チャネルフィードバックレポートを送信する要求を行なうので、移動局装置において、チャネルフィードバックレポートのみの送信とチャネルフィードバックレポートと上りリンクデータとの同時送信を動的に切り替えることが可能となる。また、効率的な信号を使用してチャネルフィードバックレポートを送信することを移動局装置に対して要求することができる。
【０１９１】
また、本実施形態に係る基地局装置は、前記下りリンク制御信号に、リソース割り当てがない旨を示す情報を含めることによって、前記移動局装置に対して、持続的に割り当てられた上りリンクリソースで、チャネルフィードバックレポートを送信する動作を停止する要求を行なうことを特徴としている。
【０１９２】
このように、下りリンク制御信号に、リソース割り当てがない旨を示す情報を含めることによって、移動局装置に対して、持続的に割り当てられた上りリンクリソースで、チャネルフィードバックレポートを送信する動作を停止する要求を行なうので、移動局装置において、チャネルフィードバックレポートの送信および送信停止を動的に切り替えることが可能となる。
【０１９３】
また、本実施形態に係る基地局装置は、移動局装置との間で無線通信を行なう基地局装置であって、移動局装置から受信したチャネルフィードバックレポートを含む情報、および上位層から入力されたスケジューリング情報に基づいて、移動局装置に対して、持続的に割り当てられた上りリンクリソースまたは一時的に割り当てられた上りリンクリソースのいずれか一方を、チャネルフィードバックレポートを送信するための上りリンクリソースとして指定する情報を生成し、前記生成した情報を上りリンクリソース割り当てを行なう下りリンク制御信号に含めるスケジューリングを行なうスケジューリング部と、前記下りリンク制御信号を前記基地局装置に対して送信する基地局側送信部と、を備えることを特徴としている。
【０１９４】
このように、移動局装置に対して、持続的に割り当てられた上りリンクリソースまたは一時的に割り当てられた上りリンクリソースのいずれか一方を、チャネルフィードバックレポートを送信するための上りリンクリソースとして選択させる情報を、上りリンクリソース割り当てを行なう下りリンク制御信号に含めて送信するので、持続的または一時的に割り当てられた上りリンクリソースを効率的に切り替えることができる。その結果、効率的な信号を使用してチャネルフィードバックレポートを送信することを移動局装置に対して要求することができる。さらに、システムの設計を簡略化させることが可能となる。
【０１９５】
また、本実施形態に係る通信システムは、前述した移動局装置および基地局装置から構成されることを特徴としている。
【０１９６】
この構成によれば、基地局装置は、移動局装置に対して、持続的に割り当てられた上りリンクリソースまたは一時的に割り当てられた上りリンクリソースのいずれか一方を、チャネルフィードバックレポートを送信するための上りリンクリソースとして選択させる情報を、上りリンクリソース割り当てを行なう下りリンク制御信号に含めて送信するので、移動局装置において、持続的または一時的に割り当てられた上りリンクリソースを効率的に切り替えることができる。その結果、基地局装置は、効率的な信号を使用してチャネルフィードバックレポートを送信することを移動局装置に対して要求することができる。さらに、システムの設計を簡略化させることが可能となる。
【０１９７】
また、本実施形態に係る移動局装置は、基地局装置から受信した移動局識別子に基づいて、検索すべき下りリンク制御信号の領域を定める移動局装置であって、複数の移動局識別子を保持する場合、一つの移動局識別子に応じた下りリンク制御信号の検索領域において、前記複数の移動局識別子を検索することを特徴としている。
【０１９８】
このように、複数の移動局識別子を保持する場合、一つの移動局識別子に応じた下りリンク制御信号の検索領域において、複数の移動局識別子を検索するので、検索領域を制限することができる。その結果、何度もデコードする必要がなくなるため、消費電力を低減することが可能となると共に、回路規模を小さくすることが可能となる。
【０１９９】
また、本実施形態に係る移動局装置は、基地局装置から受信した移動局識別子に基づいて、検索すべき下りリンク制御信号の領域を定める移動局装置であって、複数の移動局識別子を保持する場合、移動局識別子に依存しない共通の下りリンク制御信号の検索領域において、パーシステントスケジューリング用の移動局識別子を検索することを特徴としている。
【０２００】
このように、複数の移動局識別子を保持する場合、移動局識別子に依存しない共通の下りリンク制御信号の検索領域において、パーシステントスケジューリング用の移動局識別子を検索するので、移動局装置は、下りリンク制御信号の検索空間（検索領域ともいう）を維持しながら、別のパーシステントスケジューリング用または周期的チャネルフィードバック用のセル無線網臨時識別子を検索することになり、処理を軽減することが可能となる。
【０２０１】
また、本実施形態に係る基地局装置は、移動局装置に対して移動局識別子を送信することにより、移動局装置が検索すべき下りリンク制御信号の領域を定める基地局装置であって、移動局装置に対して複数の移動局識別子を割り当てた場合、一つの移動局識別子に応じた下りリンク制御信号の領域を検索領域に、前記それぞれの移動局識別子を含む下りリンク制御信号を配置することを特徴としている。
【０２０２】
このように、移動局装置に対して複数の移動局識別子を割り当てた場合、一つの移動局識別子に応じた下りリンク制御信号の領域を検索領域に、それぞれの移動局識別子を含む下りリンク制御信号を配置するので、移動局装置における検索領域を制限することができる。その結果、移動局装置において、何度もデコードする必要がなくなるため、消費電力を低減することが可能となると共に、回路規模を小さくすることが可能となる。
【０２０３】
また、本実施形態に係る基地局装置は、移動局装置に対して移動局識別子を送信することにより、移動局装置が検索すべき下りリンク制御信号の領域を定める基地局装置であって、移動局装置に対して複数の移動局識別子を割り当てた場合、移動局識別子に依存しない共通の下りリンク制御信号の検索領域に、パーシステントスケジューリング用の移動局識別子を含む下りリンク制御信号を配置することを特徴としている。
【０２０４】
このように、移動局装置に対して複数の移動局識別子を割り当てた場合、移動局識別子に依存しない共通の下りリンク制御信号の検索領域に、パーシステントスケジューリング用の移動局識別子を含む下りリンク制御信号を配置するので、移動局装置は、下りリンク制御信号の検索空間（検索領域ともいう）を維持しながら、別のパーシステントスケジューリング用または周期的チャネルフィードバック用のセル無線網臨時識別子を検索することになり、処理を軽減することが可能となる。
【０２０５】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０２０６】
１００  基地局装置
１０１  データ制御部
１０２  ＯＦＤＭ変調部
１０３  無線部
１０４  スケジューリング部
１０５  チャネル推定部
１０６  ＤＦＴ−Ｓ−ＯＦＤＭ復調部
１０７  データ抽出部
１０８  上位層
１０９  無線リソース制御部
２００  移動局装置
２０１  データ制御部
２０２  ＤＦＴ−Ｓ−ＯＦＤＭ変調部
２０３  無線部
２０４  スケジューリング部
２０５  チャネル推定部
２０６  ＯＦＤＭ復調部
２０７  データ抽出部
２０８  上位層
２０９  無線リソース制御部
【図１】
2010288292.tif 000003
【図２】
2010288292.tif 000004
【図３】
2010288292.tif 000005
【図４】
2010288292.tif 000006
【図５】
2010288292.tif 000007
【図６】
2010288292.tif 000008
【図７】
2010288292.tif 000009
【図８】
2010288292.tif 000010
【図９】
2010288292.tif 000011
【図１０】
2010288292.tif 000012
【図１１】
2010288292.tif 000013
【図１２】
2010288292.tif 000014
【図１３】
2010288292.tif 000015
【図１４】
2010288292.tif 000016
【図１５】
2010288292.tif 000017